(57)【要約】  本発明は、ユーザ装置間の協調通信のための方法、装置及びシステムを提供する。本発明におけるユーザ装置間の協調通信のための方法は、ネットワークデバイスにより、第１のユーザ装置により送出された協調要求を受信するステップと、協調要求に従って、第１の下りリンクデータを受信する際に第１のユーザ装置と協調する少なくとも１つの第２のユーザ装置を決定するステップと、第１の指示メッセージを第１のユーザ装置に送出するステップであり、第１の指示メッセージは、第１のユーザ装置に対して、ネットワークデバイスから第１の下りリンクデータの第１の部分を受信し、第２のユーザ装置から第１の下りリンクデータの第２の部分を受信するように指示するために使用されるステップとを含む。本発明の実施例によれば、ユーザ装置は、ダイバーシチ利得又は多重化利得を得ることができる。
2017506026.tif 000002
【特許請求の範囲】
【請求項１】
ユーザ装置間の協調通信のための方法であって、
ネットワークデバイスにより、第１のユーザ装置により送出された協調要求を受信するステップと、
前記ネットワークデバイスにより、前記協調要求に従って、第１の下りリンクデータを受信する際に前記第１のユーザ装置と協調する少なくとも１つの第２のユーザ装置を決定するステップと、
前記ネットワークデバイスにより、第１の指示メッセージを前記第１のユーザ装置に送出するステップであり、前記第１の指示メッセージは、前記第１のユーザ装置に対して、前記ネットワークデバイスから前記第１の下りリンクデータの第１の部分を受信し、前記第２のユーザ装置から前記第１の下りリンクデータの第２の部分を受信するように指示するために使用されるステップと
を有する方法。
【請求項２】
前記ネットワークデバイスにより、前記協調要求に従って、第１の下りリンクデータを受信する際に前記第１のユーザ装置と協調する少なくとも１つの第２のユーザ装置を決定した後に、
前記ネットワークデバイスにより、第２の指示メッセージを前記第２のユーザ装置に送出するステップであり、前記第２の指示メッセージは、前記第２のユーザ装置に対して、前記ネットワークデバイスから受信した前記第１の下りリンクデータの前記第２の部分を前記第１のユーザ装置に転送するように指示するために使用されるステップを更に有する、請求項１に記載の方法。
【請求項３】
前記ネットワークデバイスにより、前記第２のユーザ装置に送出される第２の下りリンクデータを決定するステップと、
前記ネットワークデバイスにより、前記第１のユーザ装置が前記第２の下りリンクデータを受信する際に前記第２のユーザ装置と協調することを決定するステップと、
前記ネットワークデバイスにより、第３の指示メッセージを前記第２のユーザ装置に送出するステップであり、前記第３の指示メッセージは、前記第２のユーザ装置に対して、前記ネットワークデバイスから前記第２の下りリンクデータの第１の部分を受信し、前記第１のユーザ装置から前記第２の下りリンクデータの第２の部分を受信するように指示するために使用されるステップを
更に有する、請求項１又は２に記載の方法。
【請求項４】
前記ネットワークデバイスにより、前記第１のユーザ装置が前記第２の下りリンクデータを受信する際に前記第２のユーザ装置と協調することを決定した後に、
前記ネットワークデバイスにより、第４の指示メッセージを前記第１のユーザ装置に送出するステップであり、前記第４の指示メッセージは、前記第１のユーザ装置に対して、前記ネットワークデバイスから受信した前記第２の下りリンクデータの前記第２の部分を前記第２のユーザ装置に転送するように指示するために使用されるステップを更に有する、請求項３に記載の方法。
【請求項５】
前記ネットワークデバイスにより、前記第１のユーザ装置が前記第２の下りリンクデータを受信する際に前記第２のユーザ装置と協調することを決定するステップは、
前記ネットワークデバイスにより、前記第２のユーザ装置が前記第１の下りリンクデータを受信する際に前記第１のユーザ装置と協調し、前記第１のユーザ装置が前記第２の下りリンクデータを受信する際に前記第２のユーザ装置と協調する場合に、前記第１のユーザ装置の通信品質及び前記第２のユーザ装置の通信品質が予め設定された閾値を満たすか否かを決定するステップと、
前記予め設定された閾値が満たされる場合、前記ネットワークデバイスにより、前記第１のユーザ装置が前記第２の下りリンクデータを受信する際に前記第２のユーザ装置と協調することを決定するステップと
を具体的に有する、請求項３に記載の方法。
【請求項６】
前記ネットワークデバイスにより、前記協調要求に従って、第１の下りリンクデータを受信する際に前記第１のユーザ装置と協調する少なくとも１つの第２のユーザ装置を決定した後に、
前記ネットワークデバイスにより、各第２のユーザ装置が第１のセル無線ネットワーク一時識別子（C-RNTI）に従って前記第１の下りリンクデータの制御情報を復調するように、前記第１のC-RNTIを各第２のユーザ装置に送出するステップ、又は
前記ネットワークデバイスにより、全ての前記第２のユーザ装置が前記第１のC-RNTIを共有するように、前記第１のC-RNTIを前記第２のユーザ装置のうち少なくともいずれか１つに送出するステップ
を更に有する、請求項１乃至５のうちいずれか１項に記載の方法。
【請求項７】
前記第１のC-RNTIは、前記第１のユーザ装置のC-RNTI若しくは前記第２のユーザ装置のC-RNTI又は予め設定されたC-RNTIである、請求項６に記載の方法。
【請求項８】
前記ネットワークデバイスにより、前記第１のユーザ装置が前記第２の下りリンクデータを受信する際に前記第２のユーザ装置と協調することを決定した後に、
前記ネットワークデバイスにより、前記第１のユーザ装置が第２のC-RNTIに従って前記第２の下りリンクデータの制御情報を復調するように、前記第２のC-RNTIを前記第１のユーザ装置に送出するステップを更に有する、請求項３に記載の方法。
【請求項９】
前記第２のC-RNTIは、前記第２のユーザ装置のC-RNTI若しくは前記第１のユーザ装置のC-RNTI又は予め設定されたC-RNTIである、請求項８に記載の方法。
【請求項１０】
前記第１の下りリンクデータの前記第１の部分及び前記第１の下りリンクデータの前記第２の部分は同じであるか、或いは、前記第１の下りリンクデータの前記第１の部分及び前記第１の下りリンクデータの前記第２の部分は異なる、請求項１乃至９のうちいずれか１項に記載の方法。
【請求項１１】
ユーザ装置間の協調通信のための方法であって、
第１のユーザ装置により、協調要求をネットワークデバイスに送出するステップと、
前記第１のユーザ装置により、前記ネットワークデバイスにより送出された第１の指示メッセージを受信するステップであり、前記第１の指示メッセージは、前記第１のユーザ装置に対して、前記ネットワークデバイスから第１の下りリンクデータの第１の部分を受信し、第２のユーザ装置から前記第１の下りリンクデータの第２の部分を受信するように指示するために使用されるステップと、
前記第１のユーザ装置により、前記ネットワークデバイスにより送出された前記第１の下りリンクデータの前記第１の部分を受信し、前記第２のユーザ装置から前記第１の下りリンクデータの前記第２の部分を受信するステップと
を有する方法。
【請求項１２】
前記第１のユーザ装置により、前記ネットワークデバイスにより送出された第４の指示メッセージを受信するステップであり、前記第４の指示メッセージは、前記第１のユーザ装置に対して、前記ネットワークデバイスから受信した第２の下りリンクデータの第２の部分を前記第２のユーザ装置に転送するように指示するために使用されるステップを更に有する、請求項１１に記載の方法。
【請求項１３】
前記第１のユーザ装置により、前記第１のユーザ装置が前記ネットワークデバイスから第２の下りリンクデータの第２の部分を受信し、前記第２の下りリンクデータの前記第２の部分を前記第２のユーザ装置に転送するように、前記第２のユーザ装置とネゴシエーションするステップを更に有する、請求項１１に記載の方法。
【請求項１４】
前記第１のユーザ装置により、前記ネットワークデバイスにより送出された前記第２の下りリンクデータの前記第２の部分を受信するステップと、
前記第１のユーザ装置により、前記第２の下りリンクデータの前記第２の部分を前記第２のユーザ装置に送出するステップと
を更に有する、請求項１２又は１３に記載の方法。
【請求項１５】
前記第１のユーザ装置により、協調要求をネットワークデバイスに送出した後に、
前記第１のユーザ装置により、前記ネットワークデバイスにより送出された第２のC-RNTIを受信するステップと、
前記第１のユーザ装置により、前記第２のC-RNTIに従って前記第２の下りリンクデータの制御情報を復調するステップと
を更に有する、請求項１４に記載の方法。
【請求項１６】
前記第２のC-RNTIは、前記第２のユーザ装置のC-RNTI若しくは前記第１のユーザ装置のC-RNTI又は予め設定されたC-RNTIである、請求項１５に記載の方法。
【請求項１７】
前記第１のユーザ装置により、前記第２のユーザ装置が前記ネットワークデバイスから前記第１の下りリンクデータの前記第２の部分を受信し、前記第１の下りリンクデータの前記第２の部分を前記第１のユーザ装置に転送するように、前記第２のユーザ装置とネゴシエーションするステップを更に有する、請求項１１乃至１６のうちいずれか１項に記載の方法。
【請求項１８】
ユーザ装置間の協調通信のための方法であって、
第２のユーザ装置により、ネットワークデバイスにより送出された第１の下りリンクデータの第２の部分を受信するステップであり、前記第１の下りリンクデータの第１の部分は、前記ネットワークデバイスにより第１のユーザ装置に送出されるステップと、
前記第２のユーザ装置により、前記第１の下りリンクデータの前記第２の部分を前記第１のユーザ装置に転送するステップと
を有する方法。
【請求項１９】
前記第２のユーザ装置により、ネットワークデバイスにより送出された第１の下りリンクデータの第２の部分を受信する前に、
前記第２のユーザ装置により、前記ネットワークデバイスにより送出された第２の指示メッセージを受信するステップであり、前記第２の指示メッセージは、前記第２のユーザ装置に対して、前記ネットワークデバイスから受信した前記第１の下りリンクデータの前記第２の部分を前記第１のユーザ装置に転送するように指示するために使用されるステップを更に有する、請求項１８に記載の方法。
【請求項２０】
第２のユーザ装置により、ネットワークデバイスにより送出された第１の下りリンクデータの第２の部分を受信する前に、
前記第２のユーザ装置により、前記第２のユーザ装置が前記ネットワークデバイスから前記第１の下りリンクデータの前記第２の部分を受信し、前記第１の下りリンクデータの前記第２の部分を前記第１のユーザ装置に転送するように、前記第１のユーザ装置とネゴシエーションするステップを更に有する、請求項１８に記載の方法。
【請求項２１】
前記第２のユーザ装置により、前記ネットワークデバイスにより送出された前記第１の下りリンクデータの第２の部分を受信する前に、
前記第２のユーザ装置により、前記ネットワークデバイスにより送出された第１のセル無線ネットワーク一時識別子（C-RNTI）を受信するステップと、
前記第２のユーザ装置により、前記第１のC-RNTIに従って前記第１の下りリンクデータの制御情報を復調するステップと
を更に有する、請求項１８乃至２０のうちいずれか１項に記載の方法。
【請求項２２】
前記第２のユーザ装置は、前記第１の下りリンクデータを受信する際に前記第１のユーザ装置と協調する全てのユーザ装置の中で主ユーザ装置であり、第２のユーザ装置により、前記ネットワークデバイスにより送出された前記第１の下りリンクデータの第２の部分を受信する前に、
前記第２のユーザ装置により、前記ネットワークデバイスにより送出された前記第１のC-RNTIを受信するステップと、
前記主ユーザ装置により、前記第１のC-RNTIに従って前記第１の下りリンクデータの前記制御情報を復調するステップと
を更に有する、請求項２１に記載の方法。
【請求項２３】
前記第１のC-RNTIは、前記第１のユーザ装置のC-RNTI若しくは前記第２のユーザ装置のC-RNTI又は予め設定されたC-RNTIである、請求項２１又は２２に記載の方法。
【請求項２４】
前記第２のユーザ装置により、前記ネットワークデバイスにより送出された第３の指示メッセージを受信するステップであり、前記第３の指示メッセージは、前記第２のユーザ装置に対して、前記ネットワークデバイスから第２の下りリンクデータの第１の部分を受信し、前記第１のユーザ装置から前記第２の下りリンクデータの第２の部分を受信するように指示するために更に使用されるステップを更に有する、請求項１８乃至２３のうちいずれか１項に記載の方法。
【請求項２５】
前記第２のユーザ装置により、前記ネットワークデバイスにより送出された第３の指示メッセージを受信した後に、
前記第２のユーザ装置により、前記ネットワークデバイスから前記第２の下りリンクデータの前記第１の部分を受信し、前記第１のユーザ装置から前記第２の下りリンクデータの前記第２の部分を受信するステップを更に有する、請求項２４に記載の方法。
【請求項２６】
前記第１のユーザ装置から前記第２の下りリンクデータの前記第２の部分を受信する前に、
前記第２のユーザ装置により、前記第１のユーザ装置が前記ネットワークデバイスから前記第２の下りリンクデータの前記第２の部分を受信し、前記第２の下りリンクデータの前記第２の部分を前記第２のユーザ装置に転送するように、前記第１のユーザ装置とネゴシエーションするステップを更に有する、請求項２４又は２５に記載の方法。
【請求項２７】
ユーザ装置間の協調通信のためのネットワークデバイスであって、
第１のユーザ装置により送出された協調要求を受信するように構成された受信モジュールと、
前記受信モジュールにより受信した前記協調要求に従って、第１の下りリンクデータを受信する際に前記第１のユーザ装置と協調する少なくとも１つの第２のユーザ装置を決定するように構成された決定モジュールと、
第１の指示メッセージを前記第１のユーザ装置に送出するように構成された送出モジュールであり、前記第１の指示メッセージは、前記第１のユーザ装置に対して、前記ネットワークデバイスから前記第１の下りリンクデータの第１の部分を受信し、前記第２のユーザ装置から前記第１の下りリンクデータの第２の部分を受信するように指示するために使用される送出モジュールと
を有するネットワークデバイス。
【請求項２８】
前記送出モジュールは、第２の指示メッセージを前記第２のユーザ装置に送出するように更に構成され、前記第２の指示メッセージは、前記第２のユーザ装置に対して、前記ネットワークデバイスから受信した前記第１の下りリンクデータの前記第２の部分を前記第１のユーザ装置に転送するように指示するために使用される、請求項２７に記載のネットワークデバイス。
【請求項２９】
前記決定モジュールは、前記受信モジュールが前記第１のユーザ装置により送出された前記協調要求を受信した後に、前記第２のユーザ装置に送出される第２の下りリンクデータを決定し、前記第１のユーザ装置が前記第２の下りリンクデータを受信する際に前記第２のユーザ装置と協調することを決定するように更に構成され、
前記送出モジュールは、第３の指示メッセージを前記第２のユーザ装置に送出するように更に構成され、前記第３の指示メッセージは、前記第２のユーザ装置に対して、前記ネットワークデバイスから前記第２の下りリンクデータの第１の部分を受信し、前記第１のユーザ装置から前記第２の下りリンクデータの第２の部分を受信するように指示するために使用される、請求項２７又は２８に記載のネットワークデバイス。
【請求項３０】
前記送出モジュールは、第４の指示メッセージを前記第１のユーザ装置に送出するように更に構成され、前記第４の指示メッセージは、前記第１のユーザ装置に対して、前記ネットワークデバイスから受信した前記第２の下りリンクデータの前記第２の部分を前記第２のユーザ装置に転送するように指示するために使用される、請求項２９に記載のネットワークデバイス。
【請求項３１】
前記決定モジュールは、前記第２のユーザ装置が前記第１の下りリンクデータを受信する際に前記第１のユーザ装置と協調し、前記第１のユーザ装置が前記第２の下りリンクデータを受信する際に前記第２のユーザ装置と協調する場合に、前記第１のユーザ装置の通信品質及び前記第２のユーザ装置の通信品質が予め設定された閾値を満たすか否かを決定するように具体的に構成され、
前記予め設定された閾値が満たされる場合、前記ネットワークデバイスは、前記第１のユーザ装置が前記第２の下りリンクデータを受信する際に前記第２のユーザ装置と協調することを決定する、請求項３０に記載のネットワークデバイス。
【請求項３２】
前記送出モジュールは、前記決定モジュールが前記協調要求に従って、前記第１の下りリンクデータを受信する際に前記第１のユーザ装置と協調する前記少なくとも１つの第２のユーザ装置を決定した後に、各第２のユーザ装置が第１のセル無線ネットワーク一時識別子（C-RNTI）に従って前記第１の下りリンクデータの制御情報を復調するように、前記第１のC-RNTIを各第２のユーザ装置に送出するように、或いは全ての前記第２のユーザ装置が前記第１のC-RNTIを共有するように、前記第１のC-RNTIを前記第２のユーザ装置のうち少なくともいずれか１つに送出するように更に構成される、請求項２７乃至３１のうちいずれか１項に記載のネットワークデバイス。
【請求項３３】
前記第１のC-RNTIは、前記第１のユーザ装置のC-RNTI若しくは前記第２のユーザ装置のC-RNTI又は予め設定されたC-RNTIである、請求項３２に記載のネットワークデバイス。
【請求項３４】
前記送出モジュールは、前記決定モジュールが、前記第１のユーザ装置が前記第２の下りリンクデータを受信する際に前記第２のユーザ装置と協調することを決定した後に、前記第１のユーザ装置が第２のC-RNTIに従って前記第２の下りリンクデータの制御情報を復調するように、前記第２のC-RNTIを前記第１のユーザ装置に送出するように更に構成される、請求項２９に記載のネットワークデバイス。
【請求項３５】
前記第２のC-RNTIは、前記第２のユーザ装置のC-RNTI若しくは前記第１のユーザ装置のC-RNTI又は予め設定されたC-RNTIである、請求項３４に記載のネットワークデバイス。
【請求項３６】
前記第１の下りリンクデータの前記第１の部分及び前記第１の下りリンクデータの前記第２の部分は同じであるか、或いは、前記第１の下りリンクデータの前記第１の部分及び前記第１の下りリンクデータの前記第２の部分は異なる、請求項２７乃至３５のうちいずれか１項に記載のネットワークデバイス。
【請求項３７】
協調要求をネットワークデバイスに送出するように構成された送出モジュールと、
前記ネットワークデバイスにより送出された第１の指示メッセージを受信するように構成された受信モジュールであり、前記第１の指示メッセージは、第１のユーザ装置に対して、前記ネットワークデバイスから第１の下りリンクデータの第１の部分を受信するように指示するために使用され、前記ネットワークデバイスにより送出された前記第１の指示メッセージを受信するように構成され、前記第１の指示メッセージは、前記第１のユーザ装置に対して、前記ネットワークデバイスから前記第１の下りリンクデータの前記第１の部分を受信するように指示するために使用される受信モジュールと
を有し、
前記受信モジュールは、前記ネットワークデバイスにより送出された前記第１の下りリンクデータの前記第１の部分を受信し、第２のユーザ装置から前記第１の下りリンクデータの第２の部分を受信するように更に構成されるユーザ装置。
【請求項３８】
前記受信モジュールは、前記ネットワークデバイスにより送出された第４の指示メッセージを受信するように更に構成され、前記第４の指示メッセージは、前記第１のユーザ装置に対して、前記ネットワークデバイスから受信した第２の下りリンクデータの第２の部分を前記第２のユーザ装置に転送するように指示するために更に使用される、請求項３７に記載のユーザ装置。
【請求項３９】
前記第１のユーザ装置が前記ネットワークデバイスから第２の下りリンクデータの第２の部分を受信し、前記第２の下りリンクデータの前記第２の部分を前記第２のユーザ装置に転送するように、前記第２のユーザ装置とネゴシエーションするように構成された第１のネゴシエーションモジュールを更に有する、請求項３７に記載のユーザ装置。
【請求項４０】
前記受信モジュールは、前記ネットワークデバイスにより送出された前記第１の指示メッセージを受信した後に、前記ネットワークデバイスにより送出された前記第２の下りリンクデータの前記第２の部分を受信するように更に構成され、
前記送出モジュールは、前記受信モジュールが前記ネットワークデバイスにより送出された前記第２の下りリンクデータの前記第２の部分を受信した後に、前記第２の下りリンクデータの前記第２の部分を前記第２のユーザ装置に送出するように更に構成される、請求項３８又は３９に記載のユーザ装置。
【請求項４１】
前記受信モジュールは、前記送出モジュールが前記協調要求を前記ネットワークデバイスに送出した後に、前記ネットワークデバイスにより送出された第２のセル無線ネットワーク一時識別子（C-RNTI）を受信するように更に構成され、
前記受信モジュールは、前記受信モジュールが前記ネットワークデバイスにより送出された前記第２のC-RNTIを受信した後に、前記第２のC-RNTIに従って前記第２の下りリンクデータの制御情報を復調するように具体的に構成される、請求項４０に記載のユーザ装置。
【請求項４２】
前記第２のC-RNTIは、前記第２のユーザ装置のC-RNTI若しくは前記第１のユーザ装置のC-RNTI又は予め設定されたC-RNTIである、請求項４１に記載のユーザ装置。
【請求項４３】
前記第２のユーザ装置が前記ネットワークデバイスから前記第１の下りリンクデータの前記第２の部分を受信し、前記第１の下りリンクデータの前記第２の部分を前記第１のユーザ装置に転送するように、前記第２のユーザ装置とネゴシエーションするように構成された第２のネゴシエーションモジュールを更に有する、請求項３７乃至４２のうちいずれか１項に記載のユーザ装置。
【請求項４４】
ネットワークデバイスにより送出された第１の下りリンクデータの第２の部分を受信するように構成された受信モジュールであり、前記第１の下りリンクデータの第１の部分は、前記ネットワークデバイスにより第１のユーザ装置に送出される受信モジュールと、
前記第１の下りリンクデータの前記第２の部分を前記第１のユーザ装置に転送するように構成された送出モジュールと
を有するユーザ装置。
【請求項４５】
前記受信モジュールは、前記ネットワークデバイスにより送出された第２の指示メッセージを受信するように更に構成され、前記第２の指示メッセージは、第２のユーザ装置に対して、前記ネットワークデバイスから受信した前記第１の下りリンクデータの前記第２の部分を前記第１のユーザ装置に転送するように指示するために使用される、請求項４４に記載のユーザ装置。
【請求項４６】
第２のユーザ装置が前記ネットワークデバイスから前記第１の下りリンクデータの前記第２の部分を受信し、前記第１の下りリンクデータの前記第２の部分を前記第１のユーザ装置に転送するように、前記第１のユーザ装置とネゴシエーションするように構成された第１のネゴシエーションモジュールを更に有する、請求項４４に記載のユーザ装置。
【請求項４７】
前記受信モジュールは、前記ネットワークデバイスにより送出された前記第１の下りリンクデータの前記第２の部分を受信する前に、前記ネットワークデバイスにより送出された第１のセル無線ネットワーク一時識別子（C-RNTI）を受信し、前記第１のC-RNTIに従って前記第１の下りリンクデータの制御情報を復調するように更に構成される、請求項４４乃至４６のうちいずれか１項に記載のユーザ装置。
【請求項４８】
前記第１のC-RNTIは、前記第１のユーザ装置のC-RNTI若しくは前記第２のユーザ装置のC-RNTI又は予め設定されたC-RNTIである、請求項４７に記載のユーザ装置。
【請求項４９】
前記受信モジュールは、前記ネットワークデバイスにより送出された第３の指示メッセージを受信するように更に構成され、前記第３の指示メッセージは、第２のユーザ装置に対して、前記ネットワークデバイスから第２の下りリンクデータの第１の部分を受信し、前記第１のユーザ装置から前記第２の下りリンクデータの第２の部分を受信するように指示するために更に使用される、請求項４４乃至４８のうちいずれか１項に記載のユーザ装置。
【請求項５０】
前記受信モジュールが前記ネットワークデバイスにより送出された前記第３の指示メッセージを受信した後に、前記受信モジュールは、前記ネットワークデバイスから前記第２の下りリンクデータの前記第１の部分を受信し、前記第１のユーザ装置から前記第２の下りリンクデータの前記第２の部分を受信するように更に構成される、請求項４９に記載のユーザ装置。
【請求項５１】
前記第１のユーザ装置が前記ネットワークデバイスから前記第２の下りリンクデータの前記第２の部分を受信し、前記第２の下りリンクデータの前記第２の部分を前記第２のユーザ装置に転送するように、前記第１のユーザ装置とネゴシエーションするように構成された第２のネゴシエーションモジュールを更に有する、請求項４９又は５０に記載のユーザ装置。
【請求項５２】
プロセッサ及びメモリを有するネットワークデバイスであって、
前記メモリは、実行命令を記憶し、前記ネットワークデバイスが動作する場合、前記プロセッサは、前記メモリと通信し、前記プロセッサは、基地局が請求項１乃至１０のうちいずれか１項に記載の方法を実行するように、前記実行命令を実行するネットワークデバイス。
【請求項５３】
プロセッサ及びメモリを有するユーザ装置であって、
前記メモリは、実行命令を記憶し、前記ユーザ装置が動作する場合、前記プロセッサは、前記メモリと通信し、前記プロセッサは、前記ユーザ装置が請求項１１乃至１７のうちいずれか１項に記載の方法を実行するように、前記実行命令を実行するユーザ装置。
【請求項５４】
プロセッサ及びメモリを有するユーザ装置であって、
前記メモリは、実行命令を記憶し、前記ユーザ装置が動作する場合、前記プロセッサは、前記メモリと通信し、前記プロセッサは、前記ユーザ装置が請求項１８乃至２６のうちいずれか１項に記載の方法を実行するように、前記実行命令を実行するユーザ装置。
【請求項５５】
ユーザ装置間の協調通信のためのシステムであって、
請求項２７乃至３６のうちいずれか１項に記載のネットワークデバイスと、
請求項３７乃至４３のうちいずれか１項に記載の第１のユーザ装置と、
請求項４４乃至５１のうちいずれか１項に記載の第２のユーザ装置と
を有するシステム。
【請求項５６】
ユーザ装置間の協調通信のためのシステムであって、
請求項５２に記載のネットワークデバイスと、
請求項５３に記載の第１のユーザ装置と、
請求項５４に記載の第２のユーザ装置と
を有するシステム。
【発明の詳細な説明】
【技術分野】
【０００１】
本発明は、通信技術の分野に関し、特にユーザ装置間の協調通信のための方法、装置及びシステムに関する。
【背景技術】
【０００２】
マルチプル・インプット・マルチプル・アウトプット（MIMO）は、複数アンテナの無線通信システムの技術である。MIMOでは、別々に且つ独立に信号を送出するために複数のアンテナが送信エンドで使用可能であり、送信エンドで送出された元の情報を受信して復元するために複数のアンテナが受信エンドで使用される。この技術は、チャネルフェージングを抑制し、空間多重化又は送信ダイバーシチを実現し、ビット誤り率を低減し、送信レートを増加させ、送信品質を改善するのに非常に良好な効果を有する。
【０００３】
ユーザ装置（UE）では、アンテナの品質を向上させることも、スペクトル効率を改善し、更にシステム容量を増加させる重要な手段の１つである。
【０００４】
従来技術では、ユーザ装置は、体積、チャネル関連性、アンテナサイズ及びコストのような要因により影響されるため、ユーザ装置のアンテナの量を増加させることは困難である。空間多重化又は送信ダイバーシチの性能は、アンテナの量により影響されるため、ユーザ装置の送信レート又は送信品質は高くない。
【発明の概要】
【０００５】
本発明の実施例は、ユーザ装置の物理アンテナの量が増加しないという前提でユーザ装置がダイバーシチ利得又は多重化利得を得るような、ユーザ装置間の協調通信のための方法、装置及びシステムを提供する。
【０００６】
第１の態様によれば、本発明の実施例は、ユーザ装置間の協調通信のための方法を提供し、ネットワークデバイスにより、第１のユーザ装置により送出された協調要求を受信するステップと、ネットワークデバイスにより、協調要求に従って、第１の下りリンクデータを受信する際に第１のユーザ装置と協調する少なくとも１つの第２のユーザ装置を決定するステップと、ネットワークデバイスにより、第１の指示メッセージを第１のユーザ装置に送出するステップであり、第１の指示メッセージは、第１のユーザ装置に対して、ネットワークデバイスから第１の下りリンクデータの第１の部分を受信し、第２のユーザ装置から第１の下りリンクデータの第２の部分を受信するように指示するために使用されるステップとを含む。
【０００７】
第１の態様を参照して、第１の態様の第１の実現方式では、ネットワークデバイスにより、協調要求に従って、第１の下りリンクデータを受信する際に第１のユーザ装置と協調する少なくとも１つの第２のユーザ装置を決定した後に、この方法は、ネットワークデバイスにより、第２の指示メッセージを第２のユーザ装置に送出するステップであり、第２の指示メッセージは、第２のユーザ装置に対して、ネットワークデバイスから受信した第１の下りリンクデータの第２の部分を第１のユーザ装置に転送するように指示するために使用されるステップを更に含む。
【０００８】
第１の態様又は第１の実現方式を参照して、第１の態様の第２の実現方式では、この方法は、ネットワークデバイスにより、第２のユーザ装置に送出される第２の下りリンクデータを決定するステップと、ネットワークデバイスにより、第１のユーザ装置が第２の下りリンクデータを受信する際に第２のユーザ装置と協調することを決定するステップと、ネットワークデバイスにより、第３の指示メッセージを第２のユーザ装置に送出するステップであり、第３の指示メッセージは、第２のユーザ装置に対して、ネットワークデバイスから第２の下りリンクデータの第１の部分を受信し、第１のユーザ装置から第２の下りリンクデータの第２の部分を受信するように指示するために使用されるステップを更に含む。
【０００９】
第２の実現方式を参照して、第１の態様の第３の実現方式では、ネットワークデバイスにより、第１のユーザ装置が第２の下りリンクデータを受信する際に第２のユーザ装置と協調することを決定した後に、この方法は、ネットワークデバイスにより、第４の指示メッセージを第１のユーザ装置に送出するステップであり、第４の指示メッセージは、第１のユーザ装置に対して、ネットワークデバイスから受信した第２の下りリンクデータの第２の部分を第２のユーザ装置に転送するように指示するために使用されるステップを更に含む。
【００１０】
第２の実現方式を参照して、第１の態様の第４の実現方式では、ネットワークデバイスにより、第１のユーザ装置が第２の下りリンクデータを受信する際に第２のユーザ装置と協調することを決定するステップは、ネットワークデバイスにより、第２のユーザ装置が第１の下りリンクデータを受信する際に第１のユーザ装置と協調し、第１のユーザ装置が第２の下りリンクデータを受信する際に第２のユーザ装置と協調する場合に、第１のユーザ装置の通信品質及び第２のユーザ装置の通信品質が予め設定された閾値を満たすか否かを決定するステップと、予め設定された閾値が満たされる場合、ネットワークデバイスにより、第１のユーザ装置が第２の下りリンクデータを受信する際に第２のユーザ装置と協調することを決定するステップとを具体的に含む。
【００１１】
第１の態様又は第１の実現方式〜第４の実現方式のうちいずれか１つを参照して、第１の態様の第５の実現方式では、ネットワークデバイスにより、協調要求に従って、第１の下りリンクデータを受信する際に第１のユーザ装置と協調する少なくとも１つの第２のユーザ装置を決定した後に、この方法は、ネットワークデバイスにより、各第２のユーザ装置が第１のセル無線ネットワーク一時識別子（C-RNTI）に従って第１の下りリンクデータの制御情報を復調するように、第１のC-RNTIを各第２のユーザ装置に送出するステップ、又はネットワークデバイスにより、全ての第２のユーザ装置が第１のC-RNTIを共有するように、第１のC-RNTIを第２のユーザ装置のうち少なくともいずれか１つに送出するステップを更に含む。
【００１２】
第５の実現方式を参照して、第１の態様の第６の実現方式では、第１のC-RNTIは、第１のユーザ装置のC-RNTI若しくは第２のユーザ装置のC-RNTI又は予め設定されたC-RNTIである。
【００１３】
第２の実現方式を参照して、第１の態様の第７の実現方式では、ネットワークデバイスにより、第１のユーザ装置が第２の下りリンクデータを受信する際に第２のユーザ装置と協調することを決定した後に、この方法は、ネットワークデバイスにより、第１のユーザ装置が第２のC-RNTIに従って第２の下りリンクデータの制御情報を復調するように、第２のC-RNTIを第１のユーザ装置に送出するステップを更に含む。
【００１４】
第７の実現方式を参照して、第１の態様の第８の実現方式では、第２のC-RNTIは、第２のユーザ装置のC-RNTI若しくは第１のユーザ装置のC-RNTI又は予め設定されたC-RNTIである。
【００１５】
第１の態様又は第１の実現方式〜第８の実現方式のうちいずれか１つを参照して、第１の態様の第９の実現方式では、第１の下りリンクデータの第１の部分及び第１の下りリンクデータの第２の部分は同じであるか、或いは、第１の下りリンクデータの第１の部分及び第１の下りリンクデータの第２の部分は異なる。
【００１６】
第２の態様によれば、本発明の実施例は、ユーザ装置間の協調通信のための方法を提供し、第１のユーザ装置により、協調要求をネットワークデバイスに送出するステップと、第１のユーザ装置により、ネットワークデバイスにより送出された第１の指示メッセージを受信するステップであり、第１の指示メッセージは、第１のユーザ装置に対して、ネットワークデバイスから第１の下りリンクデータの第１の部分を受信し、第２のユーザ装置から第１の下りリンクデータの第２の部分を受信するように指示するために使用されるステップと、第１のユーザ装置により、ネットワークデバイスにより送出された第１の下りリンクデータの第１の部分を受信し、第２のユーザ装置から第１の下りリンクデータの第２の部分を受信するステップとを含む。
【００１７】
第２の態様を参照して、第２の態様の第１の実現方式では、この方法は、第１のユーザ装置により、ネットワークデバイスにより送出された第４の指示メッセージを受信するステップであり、第４の指示メッセージは、第１のユーザ装置に対して、ネットワークデバイスから受信した第２の下りリンクデータの第２の部分を第２のユーザ装置に転送するように指示するために使用されるステップを更に含む。
【００１８】
第２の態様を参照して、第２の態様の第２の実現方式では、この方法は、第１のユーザ装置により、第１のユーザ装置がネットワークデバイスから第２の下りリンクデータの第２の部分を受信し、第２の下りリンクデータの第２の部分を第２のユーザ装置に転送するように、第２のユーザ装置とネゴシエーションするステップを更に含む。
【００１９】
第１の実現方式又は第２の実現方式を参照して、第２の態様の第３の実現方式では、この方法は、第１のユーザ装置により、ネットワークデバイスにより送出された第２の下りリンクデータの第２の部分を受信するステップと、第１のユーザ装置により、第２の下りリンクデータの第２の部分を第２のユーザ装置に送出するステップとを更に含む。
【００２０】
第３の実現方式を参照して、第２の態様の第４の実現方式では、第１のユーザ装置により、協調要求をネットワークデバイスに送出した後に、この方法は、第１のユーザ装置により、ネットワークデバイスにより送出された第２のC-RNTIを受信するステップと、第１のユーザ装置により、第２のC-RNTIに従って第２の下りリンクデータの制御情報を復調するステップとを更に含む。
【００２１】
第４の実現方式を参照して、第２の態様の第５の実現方式では、第２のC-RNTIは、第２のユーザ装置のC-RNTI若しくは第１のユーザ装置のC-RNTI又は予め設定されたC-RNTIである。
【００２２】
第２の態様又は第１の実現方式〜第５の実現方式のうちいずれか１つを参照して、第２の態様の第６の実現方式では、この方法は、第１のユーザ装置により、第２のユーザ装置がネットワークデバイスから第１の下りリンクデータの第２の部分を受信し、第１の下りリンクデータの第２の部分を第１のユーザ装置に転送するように、第２のユーザ装置とネゴシエーションするステップを更に含む。
【００２３】
第３の態様によれば、本発明の実施例は、ユーザ装置間の協調通信のための方法を提供し、第２のユーザ装置により、ネットワークデバイスにより送出された第１の下りリンクデータの第２の部分を受信するステップであり、第１の下りリンクデータの第１の部分は、ネットワークデバイスにより第１のユーザ装置に送出されるステップと、第２のユーザ装置により、第１の下りリンクデータの第２の部分を第１のユーザ装置に転送するステップとを含む。
【００２４】
第３の態様を参照して、第３の態様の第１の実現方式では、第２のユーザ装置により、ネットワークデバイスにより送出された第１の下りリンクデータの第２の部分を受信する前に、この方法は、第２のユーザ装置により、ネットワークデバイスにより送出された第２の指示メッセージを受信するステップであり、第２の指示メッセージは、第２のユーザ装置に対して、ネットワークデバイスから受信した第１の下りリンクデータの第２の部分を第１のユーザ装置に転送するように指示するために使用されるステップを更に含む。
【００２５】
第１の実現方式を参照して、第３の態様の第２の実現方式では、第２のユーザ装置により、ネットワークデバイスにより送出された第１の下りリンクデータの第２の部分を受信する前に、この方法は、第２のユーザ装置により、第２のユーザ装置がネットワークデバイスから第１の下りリンクデータの第２の部分を受信し、第１の下りリンクデータの第２の部分を第１のユーザ装置に転送するように、第１のユーザ装置とネゴシエーションするステップを更に含む。
【００２６】
第３の態様又は第１の実現方式若しくは第２の実現方式を参照して、第３の態様の第３の実現方式では、第２のユーザ装置により、ネットワークデバイスにより送出された第１の下りリンクデータの第２の部分を受信する前に、この方法は、第２のユーザ装置により、ネットワークデバイスにより送出された第１のセル無線ネットワーク一時識別子（C-RNTI）を受信するステップと、第２のユーザ装置により、第１のC-RNTIに従って第１の下りリンクデータの制御情報を復調するステップとを更に含む。
【００２７】
第４の実現方式を参照して、第３の態様の第５の実現方式では、第２のユーザ装置は、第１の下りリンクデータを受信する際に第１のユーザ装置と協調する全てのユーザ装置の中で主ユーザ装置であり、第２のユーザ装置により、ネットワークデバイスにより送出された第１の下りリンクデータの第２の部分を受信する前に、この方法は、第２のユーザ装置により、ネットワークデバイスにより送出された第１のC-RNTIを受信するステップと、主ユーザ装置により、第１のC-RNTIに従って第１の下りリンクデータの制御情報を復調するステップとを更に含む。
【００２８】
第４の実現方式又は第５の実現方式を参照して、第３の態様の第６の実現方式では、第１のC-RNTIは、第１のユーザ装置のC-RNTI若しくは第２のユーザ装置のC-RNTI又は予め設定されたC-RNTIである。
【００２９】
第３の態様又は第１の実現方式〜第６の実現方式を参照して、第３の態様の第７の実現方式では、この方法は、第２のユーザ装置により、ネットワークデバイスにより送出された第３の指示メッセージを受信するステップであり、第３の指示メッセージは、第２のユーザ装置に対して、ネットワークデバイスから第２の下りリンクデータの第１の部分を受信し、第１のユーザ装置から第２の下りリンクデータの第２の部分を受信するように指示するために更に使用されるステップを更に含む。
【００３０】
第７の実現方式を参照して、第３の態様の第８の実現方式では、第２のユーザ装置により、ネットワークデバイスにより送出された第３の指示メッセージを受信した後に、この方法は、第２のユーザ装置により、ネットワークデバイスから第２の下りリンクデータの第１の部分を受信し、第１のユーザ装置から第２の下りリンクデータの第２の部分を受信するステップを更に含む。
【００３１】
第７の実現方式又は第８の実現方式を参照して、第３の態様の第９の実現方式では、第１のユーザ装置から第２の下りリンクデータの第２の部分を受信する前に、この方法は、第２のユーザ装置により、第１のユーザ装置がネットワークデバイスから第２の下りリンクデータの第２の部分を受信し、第２の下りリンクデータの第２の部分を第２のユーザ装置に転送するように、第１のユーザ装置とネゴシエーションするステップを更に含む。
【００３２】
第４の態様によれば、本発明の実施例は、ユーザ装置間の協調通信のためのネットワークデバイスを提供し、第１のユーザ装置により送出された協調要求を受信するように構成された受信モジュールと、受信モジュールにより受信した協調要求に従って、第１の下りリンクデータを受信する際に第１のユーザ装置と協調する少なくとも１つの第２のユーザ装置を決定するように構成された決定モジュールと、第１の指示メッセージを第１のユーザ装置に送出するように構成された送出モジュールであり、第１の指示メッセージは、第１のユーザ装置に対して、ネットワークデバイスから第１の下りリンクデータの第１の部分を受信し、第２のユーザ装置から第１の下りリンクデータの第２の部分を受信するように指示するために使用される送出モジュールとを含む。
【００３３】
第４の態様を参照して、第４の態様の第１の実現方式では、送出モジュールは、第２の指示メッセージを第２のユーザ装置に送出するように更に構成され、第２の指示メッセージは、第２のユーザ装置に対して、ネットワークデバイスから受信した第１の下りリンクデータの第２の部分を第１のユーザ装置に転送するように指示するために使用される。
【００３４】
第４の態様又は第１の実現方式を参照して、第４の態様の第２の実現方式では、決定モジュールは、受信モジュールが第１のユーザ装置により送出された協調要求を受信した後に、第２のユーザ装置に送出される第２の下りリンクデータを決定し、第１のユーザ装置が第２の下りリンクデータを受信する際に第２のユーザ装置と協調することを決定するように更に構成され、送出モジュールは、第３の指示メッセージを第２のユーザ装置に送出するように更に構成され、第３の指示メッセージは、第２のユーザ装置に対して、ネットワークデバイスから第２の下りリンクデータの第１の部分を受信し、第１のユーザ装置から第２の下りリンクデータの第２の部分を受信するように指示するために使用される。
【００３５】
第２の実現方式を参照して、第４の態様の第３の実現方式では、送出モジュールは、第４の指示メッセージを第１のユーザ装置に送出するように更に構成され、第４の指示メッセージは、第１のユーザ装置に対して、ネットワークデバイスから受信した第２の下りリンクデータの第２の部分を第２のユーザ装置に転送するように指示するために使用される。
【００３６】
第２の実現方式を参照して、第４の態様の第４の実現方式では、決定モジュールは、第２のユーザ装置が第１の下りリンクデータを受信する際に第１のユーザ装置と協調し、第１のユーザ装置が第２の下りリンクデータを受信する際に第２のユーザ装置と協調する場合に、第１のユーザ装置の通信品質及び第２のユーザ装置の通信品質が予め設定された閾値を満たすか否かを決定するように具体的に構成され、予め設定された閾値が満たされる場合、ネットワークデバイスは、第１のユーザ装置が第２の下りリンクデータを受信する際に第２のユーザ装置と協調することを決定する。
【００３７】
第４の態様又は第４の実現方式〜第４の実現方式のうちいずれか１つを参照して、第４の態様の第５の実現方式では、送出モジュールは、決定モジュールが協調要求に従って、第１の下りリンクデータを受信する際に第１のユーザ装置と協調する少なくとも１つの第２のユーザ装置を決定した後に、各第２のユーザ装置が第１のセル無線ネットワーク一時識別子（C-RNTI）に従って第１の下りリンクデータの制御情報を復調するように、第１のC-RNTIを各第２のユーザ装置に送出するように、或いは全ての第２のユーザ装置が第１のC-RNTIを共有するように、第１のC-RNTIを第２のユーザ装置のうち少なくともいずれか１つに送出するように更に構成される。
【００３８】
第５の実現方式を参照して、第４の態様の第６の実現方式では、第１のC-RNTIは、第１のユーザ装置のC-RNTI若しくは第２のユーザ装置のC-RNTI又は予め設定されたC-RNTIである。
【００３９】
第２の実現方式を参照して、第４の態様の第７の実現方式では、送出モジュールは、決定モジュールが、第１のユーザ装置が第２の下りリンクデータを受信する際に第２のユーザ装置と協調することを決定した後に、第１のユーザ装置が第２のC-RNTIに従って第２の下りリンクデータの制御情報を復調するように、第２のC-RNTIを第１のユーザ装置に送出するように更に構成される。
【００４０】
第７の実現方式を参照して、第４の態様の第８の実現方式では、第２のC-RNTIは、第２のユーザ装置のC-RNTI若しくは第１のユーザ装置のC-RNTI又は予め設定されたC-RNTIである。
【００４１】
第４の態様又は第１の実現方式〜第８の実現方式のうちいずれか１つを参照して、第４の態様の第９の実現方式では、第１の下りリンクデータの第１の部分及び第１の下りリンクデータの第２の部分は同じであるか、或いは、第１の下りリンクデータの第１の部分及び第１の下りリンクデータの第２の部分は異なる。
【００４２】
第５の態様によれば、本発明の実施例は、ユーザ装置を提供し、協調要求をネットワークデバイスに送出するように構成された送出モジュールと、ネットワークデバイスにより送出された第１の指示メッセージを受信するように構成された受信モジュールであり、第１の指示メッセージは、第１のユーザ装置に対して、ネットワークデバイスから第１の下りリンクデータの第１の部分を受信するように指示するために使用され、ネットワークデバイスにより送出された第１の指示メッセージを受信するように構成され、第１の指示メッセージは、第１のユーザ装置に対して、ネットワークデバイスから第１の下りリンクデータの第１の部分を受信するように指示するために使用される受信モジュールとを含み、受信モジュールは、ネットワークデバイスにより送出された第１の下りリンクデータの第１の部分を受信し、第２のユーザ装置から第１の下りリンクデータの第２の部分を受信するように更に構成される。
【００４３】
第５の態様を参照して、第５の態様の第１の実現方式では、受信モジュールは、ネットワークデバイスにより送出された第４の指示メッセージを受信するように更に構成され、第４の指示メッセージは、第１のユーザ装置に対して、ネットワークデバイスから受信した第２の下りリンクデータの第２の部分を第２のユーザ装置に転送するように指示するために更に使用される。
【００４４】
第５の態様を参照して、第５の態様の第２の実現方式では、ユーザ装置は、第１のユーザ装置がネットワークデバイスから第２の下りリンクデータの第２の部分を受信し、第２の下りリンクデータの第２の部分を第２のユーザ装置に転送するように、第２のユーザ装置とネゴシエーションするように構成された第１のネゴシエーションモジュールを更に含む。
【００４５】
第１の実現方式又は第２の実現方式を参照して、第５の態様の第３の実現方式では、受信モジュールは、ネットワークデバイスにより送出された第１の指示メッセージを受信した後に、ネットワークデバイスにより送出された第２の下りリンクデータの第２の部分を受信するように更に構成され、送出モジュールは、受信モジュールがネットワークデバイスにより送出された第２の下りリンクデータの第２の部分を受信した後に、第２の下りリンクデータの第２の部分を第２のユーザ装置に送出するように更に構成される。
【００４６】
第３の実現方式を参照して、第５の態様の第４の実現方式では、受信モジュールは、送出モジュールが協調要求をネットワークデバイスに送出した後に、ネットワークデバイスにより送出された第２のセル無線ネットワーク一時識別子（C-RNTI）を受信するように更に構成され、受信モジュールは、受信モジュールがネットワークデバイスにより送出された第２のC-RNTIを受信した後に、第２のC-RNTIに従って第２の下りリンクデータの制御情報を復調するように具体的に構成される。
【００４７】
第４の実現方式を参照して、第５の態様の第５の実現方式では、第２のC-RNTIは、第２のユーザ装置のC-RNTI若しくは第１のユーザ装置のC-RNTI又は予め設定されたC-RNTIである。
【００４８】
第５の態様又は第１の実現方式〜第５の実現方式のうちいずれか１つを参照して、第５の態様の第６の実現方式では、ユーザ装置は、第２のユーザ装置がネットワークデバイスから第１の下りリンクデータの第２の部分を受信し、第１の下りリンクデータの第２の部分を第１のユーザ装置に転送するように、第２のユーザ装置とネゴシエーションするように構成された第２のネゴシエーションモジュールを更に含む。
【００４９】
第６の態様によれば、本発明の実施例は、ユーザ装置を提供し、ネットワークデバイスにより送出された第１の下りリンクデータの第２の部分を受信するように構成された受信モジュールであり、第１の下りリンクデータの第１の部分は、ネットワークデバイスにより第１のユーザ装置に送出される受信モジュールと、第１の下りリンクデータの第２の部分を第１のユーザ装置に転送するように構成された送出モジュールとを含む。
【００５０】
第６の態様を参照して、第６の態様の第１の実現方式では、受信モジュールは、ネットワークデバイスにより送出された第２の指示メッセージを受信するように更に構成され、第２の指示メッセージは、第２のユーザ装置に対して、ネットワークデバイスから受信した第１の下りリンクデータの第２の部分を第１のユーザ装置に転送するように指示するために使用される。
【００５１】
第１の実現方式を参照して、第６の態様の第２の実現方式では、ユーザ装置は、第２のユーザ装置がネットワークデバイスから第１の下りリンクデータの第２の部分を受信し、第１の下りリンクデータの第２の部分を第１のユーザ装置に転送するように、第１のユーザ装置とネゴシエーションするように構成された第１のネゴシエーションモジュールを更に含む。
【００５２】
第６の態様又は第１の実現方式若しくは第２の実現方式を参照して、第６の態様の第３の実現方式では、受信モジュールは、ネットワークデバイスにより送出された第１の下りリンクデータの第２の部分を受信する前に、ネットワークデバイスにより送出された第１のセル無線ネットワーク一時識別子（C-RNTI）を受信し、第１のC-RNTIに従って第１の下りリンクデータの制御情報を復調するように更に構成される。
【００５３】
第４の実現方式を参照して、第６の態様の第５の実現方式では、第１のC-RNTIは、第１のユーザ装置のC-RNTI若しくは第２のユーザ装置のC-RNTI又は予め設定されたC-RNTIである。
【００５４】
第５の実現方式を参照して、第６の態様の第６の実現方式では、受信モジュールは、ネットワークデバイスにより送出された第３の指示メッセージを受信するように更に構成され、第３の指示メッセージは、第２のユーザ装置に対して、ネットワークデバイスから第２の下りリンクデータの第１の部分を受信し、第１のユーザ装置から第２の下りリンクデータの第２の部分を受信するように指示するために更に使用される。
【００５５】
第３の態様又は第１の実現方式〜第６の実現方式のうちいずれか１つを参照して、第３の態様の第７の実現方式では、受信モジュールがネットワークデバイスにより送出された第３の指示メッセージを受信した後に、受信モジュールは、ネットワークデバイスから第２の下りリンクデータの第１の部分を受信し、第１のユーザ装置から第２の下りリンクデータの第２の部分を受信するように更に構成される。
【００５６】
第６の実現方式又は第７の実現方式を参照して、第８の実現方式では、ユーザ装置は、第１のユーザ装置がネットワークデバイスから第２の下りリンクデータの第２の部分を受信し、第２の下りリンクデータの第２の部分を第２のユーザ装置に転送するように、第１のユーザ装置とネゴシエーションするように構成された第２のネゴシエーションモジュールを更に含む。
【００５７】
第７の態様によれば、本発明の実施例は、ネットワークデバイスを提供し、プロセッサ及びメモリを含み、メモリは、実行命令を記憶し、ネットワークデバイスが動作する場合、プロセッサは、メモリと通信し、プロセッサは、基地局が第１の態様による方法を実行するように、実行命令を実行する。
【００５８】
第８の態様によれば、本発明の実施例は、ユーザ装置を提供し、プロセッサ及びメモリを含み、メモリは、実行命令を記憶し、ユーザ装置が動作する場合、プロセッサは、メモリと通信し、プロセッサは、ユーザ装置が第２の態様による方法を実行するように、実行命令を実行する。
【００５９】
第９の態様によれば、本発明の実施例は、ユーザ装置を提供し、プロセッサ及びメモリを含み、メモリは、実行命令を記憶し、ユーザ装置が動作する場合、プロセッサは、メモリと通信し、プロセッサは、ユーザ装置が第３の態様による方法を実行するように、実行命令を実行する。
【００６０】
第１０の態様によれば、本発明の実施例は、ユーザ装置間の協調通信のためのシステムを更に提供し、本発明の第４の態様で提供されるネットワークデバイスと、第５の態様で提供される第１のユーザ装置と、第６の態様で提供される第２のユーザ装置とを含む。
【００６１】
第１１の態様によれば、本発明の実施例は、ユーザ装置間の協調通信のためのシステムを更に提供し、本発明の第７の態様で提供されるネットワークデバイスと、第８の態様で提供される第１のユーザ装置と、第９の態様で提供される第２のユーザ装置とを含む。
【００６２】
本発明の実施例で提供されるユーザ装置間の協調通信のための方法、装置及びシステムによれば、第１のユーザ装置の協調要求を受信した後に、ネットワークデバイスは、ユーザ装置のために、下りリンクデータを受信する際に第１のユーザ装置と協調する少なくとも１つの他の第２のユーザ装置を決定し、指示メッセージを使用することにより、下りリンクデータがネットワークデバイス及び第２のユーザ装置を使用することにより別々に受信され得ることを第１のユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【図面の簡単な説明】
【００６３】
本発明の実施例又は従来技術の技術的対策を更に明確に説明するために、以下に、実施例又は従来技術を説明するために必要な添付図面について簡単に紹介する。明らかに、以下の説明において、添付図面は、本発明のいくつかの実施例を示しており、当業者は、創造的取り組みを行うことなく、依然としてこれらの添付図面から他の図面を導き得る。
【図１】本発明の実施例によるユーザ装置間の協調通信のための方法のフローチャート
【図２】本発明の他の実施例によるユーザ装置間の協調通信のための方法のフローチャート
【図３】本発明の更に他の実施例によるユーザ装置間の協調通信のための方法のフローチャート
【図４】第２のユーザ装置が第１の下りリンクデータを受信する際に第１のユーザ装置と協調するが、第１のユーザ装置が第２のユーザ装置と協調しない具体的な実現方式の概略図
【図５】第２のユーザ装置が第１の下りリンクデータを受信する際に第１のユーザ装置と協調し、第１のユーザ装置が第２の下りリンクデータを受信する際に第２のユーザ装置と協調する具体的な実現方式の概略図
【図６】本発明の実施例によるネットワークデバイスの概略構成図
【図７】本発明の実施例によるユーザ装置の概略構成図
【図８】本発明の他の実施例によるユーザ装置の概略構成図
【図９】本発明の更に他の実施例によるユーザ装置の概略構成図
【図１０】本発明の他の実施例によるユーザ装置の概略構成図
【図１１】本発明の他の実施例によるネットワークデバイスの概略構成図
【図１２】本発明の更に他の実施例によるユーザ装置の概略構成図
【図１３】本発明の更に他の実施例によるユーザ装置の概略構成図
【発明を実施するための形態】
【００６４】
本発明の実施例の目的、技術的対策及び利点を明確にするために、以下に、本発明の実施例における添付図面を参照して、本発明の実施例における技術的対策を明確且つ完全に説明する。明らかに、説明する実施例は、本発明の実施例の全てではなく一部である。創造的取り組みを行わずに本発明の実施例に基づいて当業者により得られる全ての他の実施例は、本発明の保護範囲内に入るものとする。
【００６５】
この明細書に記載の技術は、様々な通信システム、例えば、現在の2G及び3G通信システム並びに次世代通信システム、例えば、移動通信用グローバルシステム（GSM、Global  System  for  Mobile  communications）、符号分割多元アクセス（CDMA、Code  Division  Multiple  Access）システム、時分割多元アクセス（TDMA、Time  Division  Multiple  Access）システム、広帯域符号分割多元アクセス（WCDMA、Wideband  Code  Division  Multiple  Access  Wireless）、周波数分割多元アクセス（FDMA、Frequency  Division  Multiple  Addressing）システム、直交周波数分割多元アクセス（OFDMA、Orthogonal  Frequency-Division  Multiple  Access）システム、シングルキャリアFDMA（SC-FDMA）システム、汎用パケット無線サービス（GPRS、General  Packet  Radio  Service）システム、ロングタームエボリューション（LTE、Long  Term  Evolution）システム、及び他の通信システムに適用されてもよい。
【００６６】
この出願に関与するユーザ装置は、無線端末又は有線端末でもよい。無線端末は、音声及び／又はデータ接続をユーザに提供するデバイス、無線接続機能を備えたハンドヘルドデバイス、又は無線モデムに接続された他の処理デバイスを示してもよい。無線端末は、無線アクセスネットワーク（RAN、Radio  Access  Network等）を通じて１つ以上のコアネットワークと通信してもよい。無線端末は、移動電話（“セルラ”電話とも呼ばれる）及び移動端末を備えたコンピュータのような移動端末でもよく、例えば、無線アクセスネットワークと言葉及び／又はデータを交換するポータブル、ポケットサイズ、ハンドヘルド型、コンピュータ内蔵型、又は車載型の移動装置でもよい。例えば、無線端末は、パーソナル通信サービス（PCS、Personal  Communication  Service）電話、コードレス電話セット、セッションイニシエーションプロトコル（SIP）電話、無線ローカルループ（WLL、Wireless  Local  Loop）局、又はパーソナルデジタルアシスタント（PDA、Personal  Digital  Assistant）のようなデバイスでもよい。無線端末はまた、システム、加入者ユニット（Subscriber、Unit）、加入者局（Subscriber  Station）、移動局（Mobile Station）、移動端末（Mobile）、遠隔局（Remote  Station）、アクセスポイント（Access  Point）、遠隔端末（Remote  Terminal）、アクセス端末（Access  Terminal）、ユーザ端末（User  Terminal）、ユーザエージェント（User  Agent）、ユーザデバイス（User  Device）、又はユーザ装置（User  Equipment）と呼ばれてもよい。
【００６７】
この出願に関与するネットワークデバイスは、例えば、基地局又は無線ネットワークコントローラ（Radio  Network  Controller、RNC）でもよい。
【００６８】
基地局（例えば、アクセスポイント）は、GSM又はCDMAの基地局（BTS、Base  Transceiver  Station）でもよく、WCDMAの基地局（NodeB）でもよく、LTEの進化型NodeB（NodeB、eNB又はe-NodeB、evolutional  Node  B）でもよく、これはこの出願では限定されない。
【００６９】
図１は、本発明の実施例によるユーザ装置間の協調通信のための方法のフローチャートである。図１に示すように、この実施例の方法は以下を含んでもよい。
【００７０】
ステップ101：ネットワークデバイスは、第１のユーザ装置により送出された協調要求を受信する。
【００７１】
ステップ102：ネットワークデバイスは、協調要求に従って、第１の下りリンクデータを受信する際に第１のユーザ装置と協調する少なくとも１つの第２のユーザ装置を決定する。
【００７２】
ステップ103：ネットワークデバイスは、第１の指示メッセージを第１のユーザ装置に送出する。第１の指示メッセージは、第１のユーザ装置に対して、ネットワークデバイスから第１の下りリンクデータの第１の部分を受信し、第２のユーザ装置から第１の下りリンクデータの第２の部分を受信するように指示するために使用される。
【００７３】
協調要求は、ネットワークにおいて第１のユーザ装置を一意に示すための第１のユーザ装置の識別子を搬送してもよい。更に、協調要求は、第１のユーザ装置と第２のユーザ装置との間のリンクの品質の記述情報のようなパラメータを更に搬送してもよい。
【００７４】
任意選択で、下りリンク品質が良好でない場合、第１のユーザ装置がネットワークデバイスから下りリンクデータを受信するときのビット誤り率は所定の値より高く、この場合、第１の下りリンクデータの第１の部分及び第２の部分は同じでもよい。下りリンク品質が良好である場合、第１のユーザ装置がネットワークデバイスから下りリンクデータを受信するときのビット誤り率は所定の値より低く、この場合、第１の下りリンクデータの第１の部分及び第２の部分は異なってもよい。
【００７５】
本発明のこの実施例では、第１の下りリンクデータを受信する際に第１のユーザ装置と協調する１つ以上の第２のユーザ装置が存在してもよい。ネットワークデバイスが、第１の下りリンクデータを受信する際に第１のユーザ装置と協調する第２のユーザ装置を決定した場合、ネットワークデバイスは、まず、第１のユーザ装置又は第２のユーザ装置により以前に報告された、第１のユーザ装置と第２のユーザ装置との間のリンクの品質についての情報、第１のユーザ装置とネットワークデバイスとの間のリンクの品質についての情報、及び第２のユーザ装置とネットワークデバイスとの間のリンクの品質についての情報に従って、第１のユーザ装置と第２のユーザ装置の協調が第１のユーザ装置にとって有利な効果をもたらすことができるか否か、例えば、多重化利得又はダイバーシチ利得が第１のユーザ装置にもたらされることができるか否かを決定してもよい。有利な効果が所定の値に到達することができない場合、ネットワークデバイスは、第２のユーザ装置を選択しなくてもよく、その代わりに第１のユーザ装置と協調する他の第２のユーザ装置を選択する。
【００７６】
第１のユーザ装置と協調する第２のユーザ装置を決定した後に、ネットワークデバイスは、第１のユーザ装置と第２のユーザ装置との間のリンクの品質に従って送信レートレベルを調整してもよい。例えば、第１のユーザ装置と第２のユーザ装置との間のリンクの品質が良好でない場合、第２のユーザ装置がデータを受信する際に第１のユーザ装置と協調するレートは制限され、この場合、ネットワークデバイスが第１の下りリンクデータの第１及び第２の部分を送出するレートも低減されるべきである。そうでない場合、第２のユーザ装置が第１のユーザ装置と協調するときに、データが遅れずに処理されること又は遅れずに送出されることができず、最終的に、協調は正常に実行されることができない。“ユーザ装置間のリンクの品質−ユーザ装置間の送信のレート−ネットワークデバイスのデータ送出レート−ネットワークデバイスのデータ送出レベル”についてのマッピングテーブルが、ネットワークデバイスについて確立されてもよく、ネットワークデバイスは、マッピングリストに従って適切な送信レートレベルを選択してもよい。
【００７７】
ネットワークデバイスは、第２のユーザ装置の識別子を送出される第１の指示メッセージに追加してもよく、第２のユーザ装置が下りリンクデータを受信する際に更に正確に支援することができるように、第２のユーザ装置が第１のユーザ装置と協調し始める時間のような情報を更に追加してもよい。
【００７８】
実施可能な実現方式として、第２のユーザ装置が第１のユーザ装置と協調することを決定した後に、ネットワークデバイスは、第２の指示メッセージを第２のユーザ装置に送出してもよく、第２の指示メッセージは、第２のユーザ装置に対して、ネットワークデバイスから受信した第１の下りリンクデータの第２の部分を第１のユーザ装置に転送するように指示するために使用される。
【００７９】
他の実施可能な実現方式として、第１のユーザ装置は、第２のユーザ装置がネットワークデバイスから第１の下りリンクデータの第２の部分を受信し、第１の下りリンクデータの第２の部分を第１のユーザ装置に転送するように、事前に第２のユーザ装置とネゴシエーションしてもよい。
【００８０】
任意選択で、ネットワークデバイスが第１のユーザ装置により送出された協調要求を受信した後に、第２のユーザ装置が送出される第２の下りリンクデータを有することをネットワークデバイスが決定した場合、ネットワークデバイスは、第１のユーザ装置が第２の下りリンクデータを受信する際に第２のユーザ装置と協調することを更に決定してもよい。この実現シナリオでは、ネットワークデバイスは、第２のユーザ装置に対して、ネットワークデバイスから第２の下りリンクデータの第１の部分を受信し、第１のユーザ装置から第２の下りリンクデータの第２の部分を受信するように指示するために、第３の指示メッセージを第２のユーザ装置に更に送出してもよい。第２の指示メッセージ及び第３の指示メッセージは、同じメッセージでもよく、すなわち、第２の装置に対して、ネットワークデバイスから受信した第１の下りリンクデータの第２の部分を第１のユーザ装置に転送するように指示する場合、ネットワークデバイスはまた、第２のユーザ装置に対して、ネットワークデバイスから第２の下りリンクデータの第１の部分を受信し、第１のユーザ装置から第２の下りリンクデータの第２の部分を受信するように指示してもよい点に留意すべきである。
【００８１】
第２のユーザ装置が第１のユーザ装置を支援するシナリオと同様に、実施可能な実現方式では、第１のユーザ装置が第２のユーザ装置を支援するシナリオにおいて、ネットワークデバイスは、第１のユーザ装置に対して、ネットワークデバイスから受信した第２の下りリンクデータの第２の部分を第２のユーザ装置に転送するように指示するために、第４の指示メッセージを第１のユーザ装置に更に送出してもよい。他の実施可能な実現方式では、第１のユーザ装置はまた、第１のユーザ装置がネットワークデバイスから第２の下りリンクデータの第２の部分を受信し、第２の下りリンクデータの第２の部分を第２のユーザ装置に転送するように、事前に第２のユーザ装置とネゴシエーションしてもよい。
【００８２】
第１の指示メッセージ及び第４の指示メッセージはまた、同じメッセージでもよく、すなわち、第１のデバイスに対して、ネットワークデバイスから受信した第２の下りリンクデータの第２の部分を第２のユーザ装置に転送するように指示する場合、ネットワークデバイスはまた、第１のユーザ装置に対して、ネットワークデバイスから第１の下りリンクデータの第１の部分を受信し、第２のユーザ装置から第１の下りリンクデータの第２の部分を受信するように指示してもよい点に留意すべきである。
【００８３】
具体的に、ネットワークデバイスは、第２のユーザ装置が第１の下りリンクデータを受信する際に第１のユーザ装置と協調し、第１のユーザ装置が第２の下りリンクデータを受信する際に第２のユーザ装置と協調する場合に、第１のユーザ装置の通信品質及び第２のユーザ装置の通信品質が予め設定された閾値を満たすか否かを決定してもよい。予め設定された閾値が満たされる場合、ネットワークデバイスは、第１のユーザ装置が第２の下りリンクデータを受信する際に第２のユーザ装置と協調することを決定してもよい。このように、第２のユーザ装置は、多重化利得又はダイバーシチ利得を得ることができる。
【００８４】
ネットワークデバイスは、第１のユーザ装置又は第２のユーザ装置により以前に報告された、第１のユーザ装置と第２のユーザ装置との間のリンクの品質についての情報、第１のユーザ装置とネットワークデバイスとの間のリンクの品質についての情報、及び第２のユーザ装置とネットワークデバイスとの間のリンクの品質についての情報に従って、第１のユーザ装置が第２のユーザ装置と協調して第２のユーザ装置が第１のユーザ装置と協調した後の、第１のユーザ装置及び第２のユーザ装置の通信品質についての効果を決定してもよい点に留意すべきである。第１のユーザ装置が第２のユーザ装置と協調して第２のユーザ装置が第１のユーザ装置と協調したため、第１のユーザ装置又は第２のユーザ装置のいずれかの通信品質が予め設定された閾値を満たさない場合、又は所定の多重化利得若しくはダイバーシチ利得の効果に到達しない場合、第１のユーザ装置及び第２のユーザ装置は、協調通信を実行しなくてもよい。この実現シナリオでは、ネットワークデバイスは、協調関係を変更してもよく、例えば、第２のユーザ装置との第１のユーザ装置の協調をキャンセルしてもよく、第１のユーザ装置との第２のユーザ装置の協調をキャンセルしてもよく、２つの協調をキャンセルしてもよい。
【００８５】
任意選択で、前述の実施例に基づいて、ネットワークデバイスが協調要求に従って、第１の下りリンクデータを受信する際に第１のユーザ装置と協調する少なくとも１つの第２のユーザ装置を決定した後に、ネットワークデバイスは、各第２のユーザ装置が第１のセル無線ネットワーク一時識別子（C-RNTI）に従って第１の下りリンクデータの制御情報を復調するように、第１のC-RNTIを各第２のユーザ装置に更に送出してもよく、或いは、ネットワークデバイスは、全ての第２のユーザ装置が第１のC-RNTIを共有するように、第１のC-RNTIを第２のユーザ装置のうち少なくともいずれか１つに送出する。
【００８６】
更に、第１のC-RNTIを受信した後に、第２のユーザ装置は、第２のユーザ装置が第１の下りリンクデータの第２の部分を第１のユーザ装置に送出するように、第１のユーザ装置の制御情報を獲得するために、第１のユーザ装置の物理下りリンク制御チャネル（PDCCH）を復調してもよい。例えば、第２のユーザ装置のPDCCHを復調した後に、第２のユーザ装置は、第１の下りリンクデータの第２の部分により占有される時間周波数リソースブロックを習得し、第１のユーザ装置の受信モード（例えば、受信モードが空間多重化であるか送信ダイバーシチであるか）を習得し、不連続受信（DRX）構成のような制御情報を習得してもよい。必要な場合には、ネットワークデバイスは、第１のユーザ装置と第２のユーザ装置との間の効率的な協調を実現するために、第１のユーザ装置及び第２のユーザ装置の関係する構成パラメータが同じ（例えば、ページンググループが同じ、DRXが同じ、且つフィードバック周期（feedback  period）が同じ）になるように、第１のユーザ装置又は第２のユーザ装置の構成パラメータを調整してもよい。第１のユーザ装置と第２のユーザ装置との間の通信リンクにより使用される周波数は、帯域外周波数でもよい。具体的な通信方式は、例えば、デバイス対デバイス（D2D）通信プロトコルを使用することにより通信を実行することでもよい。第１のC-RNTIは、第１のユーザ装置のC-RNTI若しくは第２のユーザ装置のC-RNTI又は予め設定されたC-RNTIでもよい。
【００８７】
この実施例では、基地局は、第１のユーザ装置のC-RNTI若しくは第２のユーザ装置のC-RNTI又は他の予め設定されたC-RNTIを使用することにより、制御チャネルをスクランブリングしてもよい。従って、対応して、基地局により第２のユーザ装置に送出される第１のC-RNTIは、それぞれ第１のユーザ装置のC-RNTI若しくは第２のユーザ装置のC-RNTI又は他の予め設定されたC-RNTIであるべきである。
【００８８】
この実施例により提供される方法によれば、第１のユーザ装置の協調要求を受信した後に、ネットワークデバイスは、ユーザ装置のために、下りリンクデータを受信する際に第１のユーザ装置と協調する少なくとも１つの他の第２のユーザ装置を決定し、指示メッセージを使用することにより、下りリンクデータがネットワークデバイス及び第２のユーザ装置を使用することにより別々に受信され得ることを第１のユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【００８９】
図２は、本発明の他の実施例によるユーザ装置間の協調通信のための方法のフローチャートである。図２に示すように、この実施例の方法は以下を含んでもよい。
【００９０】
ステップ201：第１のユーザ装置は、協調要求をネットワークデバイスに送出する。
【００９１】
ステップ202：第１のユーザ装置は、ネットワークデバイスにより送出された第１の指示メッセージを受信する。第１の指示メッセージは、第１のユーザ装置に対して、ネットワークデバイスから第１の下りリンクデータの第１の部分を受信し、第２のユーザ装置から第１の下りリンクデータの第２の部分を受信するように指示するために使用される。
【００９２】
ステップ203：第１のユーザ装置は、ネットワークデバイスにより送出された第１の下りリンクデータの第１の部分を受信し、第２のユーザ装置から第１の下りリンクデータの第２の部分を受信する。
【００９３】
更に、第１のユーザ装置は、ネットワークデバイスにより送出され、第１のユーザ装置に対して、ネットワークデバイスから受信した第２の下りリンクデータの第２の部分を第２のユーザ装置に転送するように指示するために使用される第４の指示メッセージを更に受信してもよい。或いは、第１のユーザ装置は、第１のユーザ装置がネットワークデバイスから第２の下りリンクデータの第２の部分を受信し、第２の下りリンクデータの第２の部分を第２のユーザ装置に転送するように、事前に第２のユーザ装置と更にネゴシエーションしてもよい。
【００９４】
第１の指示メッセージ及び第４の指示メッセージはまた、同じメッセージでもよく、すなわち、第１のデバイスに対して、ネットワークデバイスから受信した第２の下りリンクデータの第２の部分を第２のユーザ装置に転送するように指示する場合、ネットワークデバイスは、第１のユーザ装置に対して、ネットワークデバイスから第１の下りリンクデータの第１の部分を受信し、第２のユーザ装置から第１の下りリンクデータの第２の部分を受信するように更に指示してもよい点に留意すべきである。
【００９５】
この実現シナリオでは、ネットワークデバイスにより送出された第２の下りリンクデータの第２の部分を受信した後に、第１のユーザ装置は、第２の下りリンクデータの第２の部分を第２のユーザ装置に送出する。
【００９６】
更に、第２のユーザ装置が第１のユーザ装置と協調するとき、第２のユーザ装置もネットワークデバイスにより送出された下りリンクユーザデータを受信していることをネットワークデバイスが決定した場合、第１のユーザ装置はまた、第２のユーザ装置が多重化利得又はダイバーシチ利得を得るように、同時に第２のユーザ装置と協調することができる。
【００９７】
更に、第１のユーザ装置が協調要求をネットワークデバイスに送出した後に、第１のユーザ装置は、ネットワークデバイスにより送出された第２のC-RNTIを更に受信してもよい。第１のユーザ装置は、第２のC-RNTIに従って第２の下りリンクデータの制御情報を復調してもよい。
【００９８】
第１のユーザ装置は、第１のユーザ装置が第２の下りリンクデータの第２の部分を第２のユーザ装置に送出するように、第２のユーザ装置の制御情報を獲得するために、第２のC-RNTIを使用することにより第２のユーザ装置のPDCCHを復号化する。
【００９９】
更に、第２のC-RNTIは、第２のユーザ装置のC-RNTI若しくは第１のユーザ装置のC-RNTI又は予め設定されたC-RNTIでもよい。
【０１００】
この実施例で提供される方法によれば、第１のユーザ装置は、協調要求をネットワークデバイスに送出してもよく、ネットワークデバイスは、下りリンクデータを受信する際に第１のユーザ装置と協調する少なくとも１つの他のユーザ装置を決定し、指示メッセージを使用することにより、下りリンクデータがネットワークデバイス及び他のユーザ装置を使用することにより別々に受信され得ることをユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【０１０１】
図３は、本発明の更に他の実施例によるユーザ装置間の協調通信のための方法のフローチャートである。図３に示すように、この実施例の方法は以下を含んでもよい。
【０１０２】
ステップ301：第２のユーザ装置は、ネットワークデバイスにより送出された第１の下りリンクデータの第２の部分を受信する。第１の下りリンクデータの第１の部分は、ネットワークデバイスにより第１のユーザ装置に送出される。
【０１０３】
ステップ302：第２のユーザ装置は、第１の下りリンクデータの第２の部分を第１のユーザ装置に転送する。
【０１０４】
実施可能な実現方式として、第２のユーザ装置が第１のユーザ装置と協調することを決定した後に、ネットワークデバイスは、第２の指示メッセージを第２のユーザ装置に送出してもよく、第２の指示メッセージは、第２のユーザ装置に対して、ネットワークデバイスから受信した第１の下りリンクデータの第２の部分を第１のユーザ装置に転送するように指示するために使用される。他の実施可能な実現方式として、第１のユーザ装置は、第２のユーザ装置がネットワークデバイスから第１の下りリンクデータの第２の部分を受信し、第１の下りリンクデータの第２の部分を第１のユーザ装置に転送するように、事前に第２のユーザ装置と更にネゴシエーションしてもよい。
【０１０５】
更に、第２のユーザ装置がネットワークデバイスにより送出された第１の下りリンクデータの第２の部分を受信する前に、第２のユーザ装置は、ネットワークデバイスにより送出された第１のC-RNTIを更に受信してもよく、第２のユーザ装置は、第１のC-RNTIに従って第１の下りリンクデータの制御情報を復調してもよい。
【０１０６】
第２のユーザ装置は、第２のユーザ装置が第１の下りリンクデータの第２の部分を第１のユーザ装置に送出するように、第１のユーザ装置の制御情報を獲得するために、第１のC-RNTIを使用することにより、第１のユーザ装置のPDCCHを復号化する。
【０１０７】
更に、第２のユーザ装置は、第１の下りリンクデータを受信する際に第１のユーザ装置と協調する全てのユーザ装置の中で主ユーザ装置であり、第２のユーザ装置がネットワークデバイスにより送出された第１の下りリンクデータの第２の部分を受信する前に、第２のユーザ装置は、ネットワークデバイスにより送出された第１のC-RNTIを更に受信してもよい。主ユーザ装置は、第１のC-RNTIに従って第１の下りリンクデータの制御情報を復調してもよい。任意選択で、第２のユーザ装置の中で１つ以上の主ユーザ装置が存在してもよい。第２のユーザ装置の中で１つの主ユーザ装置が存在する場合、１つの主ユーザ装置のみが第１のユーザ装置のPDCCHを復調し、１つの主ユーザ装置が復調により得られた第１のユーザ装置の制御情報を、第２のユーザ装置の中の他のユーザ装置と共有する。第２のユーザ装置の中で複数の主ユーザ装置が存在する場合、複数の主ユーザ装置は全て、第１のユーザ装置のPDCCHを復調する必要があり、複数の主ユーザ装置の中のいくつかの主ユーザ装置がネットワークデバイスにより送出された第１のC-RNTIを受信するのに失敗した場合、第１のC-RNTIを受信した主ユーザ装置は、第１のC-RNTIを受信するのに失敗した主ユーザ装置と第１のC-RNTIを共有する必要がある。
【０１０８】
更に、第１のC-RNTIは、第１のユーザ装置のC-RNTI若しくは第２のユーザ装置のC-RNTI又は予め設定されたC-RNTIでもよい。
【０１０９】
任意選択で、第２のユーザ装置は、ネットワークデバイスにより送出された第３の指示メッセージを受信してもよく、第３の指示メッセージは、第２のユーザ装置に対して、ネットワークデバイスから第２の下りリンクデータの第１の部分を受信し、第１のユーザ装置から第２の下りリンクデータの第２の部分を受信するように指示するために更に使用される。或いは、第２のUEは、第１のユーザ装置がネットワークデバイスから第２の下りリンクデータの第２の部分を受信し、第２の下りリンクデータの第２の部分を第２のユーザ装置に転送するように、第１のUEとネゴシエーションする。
【０１１０】
この実施例により提供される方法によれば、第１のユーザ装置の協調要求を受信した後に、ネットワークデバイスは、ユーザ装置のために、下りリンクデータを受信する際に第１のユーザ装置と協調する少なくとも１つの他の第２のユーザ装置を決定し、指示メッセージを使用することにより、下りリンクデータがネットワークデバイス及び第２のユーザ装置を使用することにより別々に受信され得ることを第１のユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【０１１１】
以下に、２つの具体的な例を使用することにより、本発明で提供されるユーザ装置間の協調通信のための方法を説明する。図４は、第２のユーザ装置が第１の下りリンクデータを受信する際に第１のユーザ装置と協調するが、第１のユーザ装置が第２のユーザ装置と協調しない具体的な実現方式の概略図を提供する。図４に示すように、ネットワークデバイス、例えば、基地局BS_0は、情報S0（複数レイヤの情報、すなわち、S0=[s0,s1...sp]Tでもよい）を第１のユーザ装置UE_0に送出する必要がある。下りリンクデータの無線空間伝搬の特徴のため、第２のユーザ装置UE_1は、BS_0から下りリンクデータS0を受信することができる。第１のユーザ装置UE_0により実行される下りリンクデータ受信のシステムモデルは、以下の式を使用することにより記述されてもよい。
【数１】
2017506026.tif 000003
及び
【数２】
2017506026.tif 000004
ただし、Y0は第１のユーザ装置UE_0により受信した下りリンクデータを表し、Y1は第２のユーザ装置UE_1により受信した下りリンクデータを表す。Hjは基地局BS_0とユーザ装置jとの間の空間チャネルを表し、P1はプリコーディング行列（又はベクトル）であり、I0及びI1はS0に加えて２つのユーザ装置により受信した干渉する下りリンクデータを表し、Njはユーザ装置jにより受信した雑音信号を表す。ユーザ装置が相互に協調しない場合、UE_1にとって、
【数３】
2017506026.tif 000005
は無用な（干渉する）下りリンクデータであり、使用されることができず、第１のユーザ装置UE_0による使用のために提供されることはできない。
【０１１２】
第２のユーザ装置UE_1は、協調通信を用いることにより他の関係者と、第２のユーザ装置UE_1により受信した下りリンクデータY1を共有してもよい。第２のユーザ装置UE_1により共有される情報Y1を受信した後に、第１のユーザ装置UE_0は、第１のユーザ装置UE_0により実行される復調処理におけるチャネル推定を用いて、情報
【数４】
2017506026.tif 000006
を取得してもよく、これにより、取得されたチャネル情報に従って、以下の受信データを取得する。
【数５】
2017506026.tif 000007
【０１１３】
第１のユーザ装置の受信エンドで使用される受信機はW0であり、従って、S0の推定値が取得され得る。
【数６】
2017506026.tif 000008
【０１１４】
前述の対策は、第２のユーザ装置が第１のユーザ装置と協調するときに第１のユーザ装置により受信データを処理する方式に適用可能である。以下の対策は、第２のユーザ装置が第１のユーザ装置と協調して第１のユーザ装置が第２のユーザ装置と協調するときにユーザ装置により受信データを処理する方式に適用可能である。この実施例は、ダイバーシチ利得が得られる実現シナリオに主に適用可能である。通信リンクの品質が良好でないシナリオでは、ユーザ装置は、異なるリンクから同じデータメッセージを受信してもよく、これにより、ユーザ装置により実行されるデータ受信の品質を改善し、ビット誤り率を低減し、“送信ダイバーシチ”の有利な効果を達成し、ダイバーシチ利得を得る。一方向協調モードでは、例えば、第２のユーザ装置が第１のユーザ装置と協調し、第１のユーザ装置は、ダイバーシチ利得を得ることができる。双方向協調モードでは、例えば、第２のユーザ装置が第１のユーザ装置と協調して第１のユーザ装置が第２のユーザ装置と協調し、第１のユーザ装置及び第２のユーザ装置の双方がダイバーシチ利得を得ることができる。
【０１１５】
図５は、第２のユーザ装置が第１の下りリンクデータを受信する際に第１のユーザ装置と協調し、第１のユーザ装置が第２の下りリンクデータを受信する際に第２のユーザ装置と協調する具体的な実現方式の概略図を提供する。図５に示すように、基地局BS_0は、２つのユーザ装置のジョイントチャネルを使用することによりプリコーディングを実行し、同じ時間周波数リソースブロックで複数のデータフローを送出する。これらのデータフローの中で、いくつかのデータフロー（S0）のターゲットユーザ装置は第１のユーザ装置UE0であり、いくつかのデータフロー（S1）のターゲットユーザ装置は第２のユーザ装置UE1である。２つのユーザ装置は、情報を共有することにより以下のデータを受信する。
【数７】
2017506026.tif 000009
ただし、P1及びP2は、S0及びS1のプリコーディング行列である。基地局BS_0は、いくつかの基準を使用することによりプリコーディング行列を設計してもよい。例えば、プリコーディング行列は、データスループットを最大化することができるSVD分解に基づく方式で取得されてもよい。合成したチャネルの次元がNxMであると仮定して、分解は以下のように実行されてもよい。
【数８】
2017506026.tif 000010
ただし、
【数９】
2017506026.tif 000011
の次元はそれぞれNxN、NxM及びMxMであり、P1及びP2はVの最前列から選択されてもよく、例えば、V=[V1,V2,...VM]である場合、P1=[V1,V2...Vn]H且つP2=[Vn+1,...Vk]Hであり、k<=min(M,N)である。
【０１１６】
第１のユーザ装置UE_0の受信エンドで使用される受信機はW0であり、S0の推定値が取得され得る。
【数１０】
2017506026.tif 000012
【０１１７】
第２のユーザ装置UE_1の受信エンドで使用される受信機はW1であり、S1の推定値が取得され得る。
【数１１】
2017506026.tif 000013
【０１１８】
この実施例は、多重化利得が得られる実現シナリオに主に適用可能である。通信リンクの品質が良好である場合、ユーザ装置は、異なるリンクから異なるデータメッセージを受信し、これにより、チャネル容量を増加させ、“空間多重化”の有利な効果を達成し、多重化利得を得る。一方向協調モードでは、例えば、第２のユーザ装置が第１のユーザ装置と協調し、第１のユーザ装置は、多重化利得を得ることができる。双方向協調モードでは、例えば、第２のユーザ装置が第１のユーザ装置と協調して第１のユーザ装置が第２のユーザ装置と協調し、第１のユーザ装置及び第２のユーザ装置の双方が多重化利得を得ることができる。
【０１１９】
任意選択の方式として、図４及び図５に提供されるユーザ装置により受信データを処理する方式は、本発明の実施例に適用可能であり、他の処理方式が存在し、これはここでは本発明において限定されない。
【０１２０】
図６は、本発明の実施例によるネットワークデバイスの概略構成図である。ネットワークデバイスは、第１のユーザ装置により送出された協調要求を受信するように構成された受信モジュール601と、受信モジュールにより受信した協調要求に従って、第１の下りリンクデータを受信する際に第１のユーザ装置と協調する少なくとも１つの第２のユーザ装置を決定するように構成された決定モジュール602と、第１の指示メッセージを第１のユーザ装置に送出するように構成された送出モジュール603であり、第１の指示メッセージは、第１のユーザ装置に対して、ネットワークデバイスから第１の下りリンクデータの第１の部分を受信し、第２のユーザ装置から第１の下りリンクデータの第２の部分を受信するように指示するために使用される送出モジュール603とを含む。
【０１２１】
任意選択で、送出モジュール603は、第２の指示メッセージを第２のユーザ装置に送出するように更に構成されてもよく、第２の指示メッセージは、第２のユーザ装置に対して、ネットワークデバイスから受信した第１の下りリンクデータの第２の部分を第１のユーザ装置に転送するように指示するために使用される。
【０１２２】
任意選択で、決定モジュール602は、受信モジュールが第１のユーザ装置により送出された協調要求を受信した後に、第２のユーザ装置に送出される第２の下りリンクデータを決定し、第１のユーザ装置が第２の下りリンクデータを受信する際に第２のユーザ装置と協調することを決定するように更に構成され、送出モジュール603は、第３の指示メッセージを第２のユーザ装置に送出するように更に構成されてもよく、第３の指示メッセージは、第２のユーザ装置に対して、ネットワークデバイスから第２の下りリンクデータの第１の部分を受信し、第１のユーザ装置から第２の下りリンクデータの第２の部分を受信するように指示するために使用される。
【０１２３】
任意選択で、送出モジュール603は、第４の指示メッセージを第１のユーザ装置に送出するように更に構成されてもよく、第４の指示メッセージは、第１のユーザ装置に対して、ネットワークデバイスから受信した第２の下りリンクデータの第２の部分を第２のユーザ装置に転送するように指示するために使用される。
【０１２４】
任意選択で、決定モジュール602は、第２のユーザ装置が第１の下りリンクデータを受信する際に第１のユーザ装置と協調し、第１のユーザ装置が第２の下りリンクデータを受信する際に第２のユーザ装置と協調する場合に、第１のユーザ装置の通信品質及び第２のユーザ装置の通信品質が予め設定された閾値を満たすか否かを決定するように具体的に構成され、予め設定された閾値が満たされる場合、ネットワークデバイスは、第１のユーザ装置が第２の下りリンクデータを受信する際に第２のユーザ装置と協調することを決定する。
【０１２５】
任意選択で、送出モジュール603は、決定モジュールが協調要求に従って、第１の下りリンクデータを受信する際に第１のユーザ装置と協調する少なくとも１つの第２のユーザ装置を決定した後に、各第２のユーザ装置が第１のC-RNTIに従って第１の下りリンクデータの制御情報を復調するように、第１のC-RNTIを各第２のユーザ装置に送出するように、或いは全ての第２のユーザ装置が第１のC-RNTIを共有するように、第１のC-RNTIを第２のユーザ装置のうち少なくともいずれか１つに送出するように更に構成される。
【０１２６】
任意選択で、第１のC-RNTIは、第１のユーザ装置のC-RNTI若しくは第２のユーザ装置のC-RNTI又は予め設定されたC-RNTIである。
【０１２７】
任意選択で、送出モジュール603は、決定モジュールが、第１のユーザ装置が第２の下りリンクデータを受信する際に第２のユーザ装置と協調することを決定した後に、第１のユーザ装置が第２のC-RNTIに従って第２の下りリンクデータの制御情報を復調するように、第２のC-RNTIを第１のユーザ装置に送出するように更に構成される。
【０１２８】
任意選択で、第２のC-RNTIは、第２のユーザ装置のC-RNTI若しくは第１のユーザ装置のC-RNTI又は予め設定されたC-RNTIである。
【０１２９】
任意選択で、第１の下りリンクデータの第１の部分及び第１の下りリンクデータの第２の部分は同じであるか、或いは、第１の下りリンクデータの第１の部分及び第１の下りリンクデータの第２の部分は異なる。
【０１３０】
本発明のこの実施例で提供されるネットワークデバイスは、本発明の図１で提供される方法の実施例に対応し、方法の実施例を実行する。従って、ネットワークデバイスがユーザ装置間の協調通信のための方法を実行する具体的な処理について、方法の実施例に参照が行われてもよく、詳細はここでは再び説明しない。
【０１３１】
第１のユーザ装置の協調要求を受信した後に、この実施例で提供されるネットワークデバイスは、ユーザ装置のために、下りリンクデータを受信する際に第１のユーザ装置と協調する少なくとも１つの他の第２のユーザ装置を決定し、指示メッセージを使用することにより、下りリンクデータがネットワークデバイス及び第２のユーザ装置を使用することにより別々に受信され得ることを第１のユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【０１３２】
図７は、本発明の実施例によるユーザ装置の概略構成図である。ユーザ装置は、協調要求をネットワークデバイスに送出するように構成された送出モジュール701と、ネットワークデバイスにより送出された第１の指示メッセージを受信するように構成された受信モジュール702であり、第１の指示メッセージは、第１のユーザ装置に対して、ネットワークデバイスから第１の下りリンクデータの第１の部分を受信するように指示するために使用され、ネットワークデバイスにより送出された第１の指示メッセージを受信するように構成され、第１の指示メッセージは、第１のユーザ装置に対して、ネットワークデバイスから第１の下りリンクデータの第１の部分を受信するように指示するために使用される受信モジュール702とを含み、受信モジュール702は、ネットワークデバイスにより送出された第１の下りリンクデータの第１の部分を受信し、第２のユーザ装置から第１の下りリンクデータの第２の部分を受信するように構成される。
【０１３３】
任意選択で、受信モジュール702は、ネットワークデバイスにより送出された第４の指示メッセージを受信するように更に構成され、第４の指示メッセージは、第１のユーザ装置に対して、ネットワークデバイスから受信した第２の下りリンクデータの第２の部分を第２のユーザ装置に転送するように指示するために更に使用される。
【０１３４】
図８に示すように、任意選択で、ユーザ装置は、第１のユーザ装置がネットワークデバイスから第２の下りリンクデータの第２の部分を受信し、第２の下りリンクデータの第２の部分を第２のユーザ装置に転送するように、第２のUEとネゴシエーションするように構成された第１のネゴシエーションモジュール703を更に含んでもよい。
【０１３５】
任意選択で、受信モジュール702は、ネットワークデバイスにより送出された第１の指示メッセージを受信した後に、ネットワークデバイスにより送出された第２の下りリンクデータの第２の部分を受信するように更に構成されてもよく、送出モジュール701は、受信モジュールがネットワークデバイスにより送出された第２の下りリンクデータの第２の部分を受信した後に、第２の下りリンクデータの第２の部分を第２のユーザ装置に送出するように更に構成されてもよい。
【０１３６】
任意選択で、受信モジュール702は、送出モジュールが協調要求をネットワークデバイスに送出した後に、ネットワークデバイスにより送出された第２のセル無線ネットワーク一時識別子（C-RNTI）を受信するように更に構成されてもよく、受信モジュール702は、受信モジュールがネットワークデバイスにより送出された第２のC-RNTIを受信した後に、第２のC-RNTIに従って第２の下りリンクデータの制御情報を復調するように具体的に構成されてもよい。
【０１３７】
任意選択で、第２のC-RNTIは、第２のユーザ装置のC-RNTI若しくは第１のユーザ装置のC-RNTI又は予め設定されたC-RNTIである。
【０１３８】
任意選択で、ユーザ装置は、第２のユーザ装置がネットワークデバイスから第１の下りリンクデータの第２の部分を受信し、第１の下りリンクデータの第２の部分を第１のユーザ装置に転送するように、第２のUEとネゴシエーションするように構成された第２のネゴシエーションモジュール704を更に含んでもよい。
【０１３９】
本発明のこの実施例で提供されるユーザ装置は、本発明の図２で提供される方法の実施例に対応し、方法の実施例を実行する。従って、ユーザ装置がユーザ装置間の協調通信のための方法を実行する具体的な処理について、方法の実施例に参照が行われてもよく、詳細はここでは再び説明しない。
【０１４０】
この実施例で提供されるユーザ装置は、協調要求をネットワークデバイスに送出してもよく、ネットワークデバイスは、下りリンクデータを受信する際にユーザ装置と協調する少なくとも１つの他のユーザ装置を決定し、指示メッセージを使用することにより、下りリンクデータがネットワークデバイス及び第２のユーザ装置を使用することにより別々に受信され得ることをユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【０１４１】
図９は、本発明の他の実施例によるユーザ装置の概略構成図である。ユーザ装置は、ネットワークデバイスにより送出された第１の下りリンクデータの第２の部分を受信するように構成された受信モジュール801であり、第１の下りリンクデータの第１の部分は、ネットワークデバイスにより第１のユーザ装置に送出される受信モジュール801と、第１の下りリンクデータの第２の部分を第１のユーザ装置に転送するように構成された送出モジュール802とを含む。
【０１４２】
任意選択で、受信モジュール801は、ネットワークデバイスにより送出された第２の指示メッセージを受信するように更に構成され、第２の指示メッセージは、第２のユーザ装置に対して、ネットワークデバイスから受信した第１の下りリンクデータの第２の部分を第１のユーザ装置に転送するように指示するために使用される。
【０１４３】
図１０に示すように、ユーザ装置は、第２のユーザ装置がネットワークデバイスから第１の下りリンクデータの第２の部分を受信し、第１の下りリンクデータの第２の部分を第１のユーザ装置に転送するように、第１のUEとネゴシエーションするように構成された第１のネゴシエーションモジュール803を更に含んでもよい。
【０１４４】
任意選択で、受信モジュール801は、ネットワークデバイスにより送出された第１の下りリンクデータの第２の部分を受信する前に、ネットワークデバイスにより送出された第１のセル無線ネットワーク一時識別子（C-RNTI）を受信し、第１のC-RNTIに従って第１の下りリンクデータの制御情報を復調するように更に構成されてもよい。
【０１４５】
任意選択で、第１のC-RNTIは、第１のユーザ装置のC-RNTI若しくは第２のユーザ装置のC-RNTI又は予め設定されたC-RNTIである。
【０１４６】
任意選択で、受信モジュール801は、ネットワークデバイスにより送出された第３の指示メッセージを受信するように更に構成されてもよく、第３の指示メッセージは、第２のユーザ装置に対して、ネットワークデバイスから第２の下りリンクデータの第１の部分を受信し、第１のユーザ装置から第２の下りリンクデータの第２の部分を受信するように指示するために更に使用される。
【０１４７】
任意選択で、受信モジュール801がネットワークデバイスにより送出された第３の指示メッセージを受信した後に、受信モジュールは、ネットワークデバイスから第２の下りリンクデータの第１の部分を受信し、第１のユーザ装置から第２の下りリンクデータの第２の部分を受信するように更に構成される。
【０１４８】
任意選択で、ユーザ装置は、第１のユーザ装置がネットワークデバイスから第２の下りリンクデータの第２の部分を受信し、第２の下りリンクデータの第２の部分を第２のユーザ装置に転送するように、第１のUEとネゴシエーションするように構成された第２のネゴシエーションモジュール804を更に含んでもよい。
【０１４９】
本発明のこの実施例で提供されるユーザ装置は、本発明の図３で提供される方法の実施例に対応し、方法の実施例を実行する。従って、ユーザ装置がユーザ装置間の協調通信のための方法を実行する具体的な処理について、方法の実施例に参照が行われてもよく、詳細はここでは再び説明しない。
【０１５０】
この実施例で提供されるユーザ装置は、支援デバイスであり、第１のユーザ装置の協調要求を受信した後に、ネットワークデバイスは、ユーザ装置のために、下りリンクデータを受信する際に第１のユーザ装置と協調する少なくとも１つの他の第２のユーザ装置を決定し、指示メッセージを使用することにより、下りリンクデータがネットワークデバイス及び第２のユーザ装置を使用することにより別々に受信され得ることを第１のユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【０１５１】
図１１は、本発明の他の実施例によるネットワークデバイスの概略構成図である。ネットワークデバイスは以下を含む。
【０１５２】
図１１に示すように、この実施例で提供されるネットワークデバイス90は、プロセッサ901及びメモリ902を含む。ネットワークデバイス90は、送信機903及び受信機904を更に含んでもよい。送信機903及び受信機904は、プロセッサ901に接続されてもよい。送信機903は、データ又は情報を送出するように構成され、受信機904は、データ又は情報を受信するように構成され、メモリ902は、実行命令を記憶する。ネットワークデバイス90が動作する場合、プロセッサ901は、メモリ902と通信し、プロセッサ901は、以下の動作、すなわち、第１のユーザ装置により送出された協調要求を受信し、協調要求に従って、第１の下りリンクデータを受信する際に第１のユーザ装置と協調する少なくとも１つの第２のユーザ装置を決定し、第１の指示メッセージを第１のユーザ装置に送出し、第１の指示メッセージは、第１のユーザ装置に対して、ネットワークデバイスから第１の下りリンクデータの第１の部分を受信し、第２のユーザ装置から第１の下りリンクデータの第２の部分を受信するように指示するために使用されることを実行するため、メモリ902内の実行命令を呼び出す。
【０１５３】
任意選択で、第１の下りリンクデータを受信する際に第１のユーザ装置と協調する少なくとも１つの第２のユーザ装置を決定した後に、以下のこと、すなわち、第２の指示メッセージを第２のユーザ装置に送出し、第２の指示メッセージは、第２のユーザ装置に対して、ネットワークデバイスから受信した第１の下りリンクデータの第２の部分を第１のユーザ装置に転送するように指示するために使用されることが更に実行されてもよい。
【０１５４】
任意選択で、以下のこと、すなわち、第２のユーザ装置に送出される第２の下りリンクデータを決定し、第１のユーザ装置が第２の下りリンクデータを受信する際に第２のユーザ装置と協調することを決定し、第３の指示メッセージを第２のユーザ装置に送出し、第３の指示メッセージは、第２のユーザ装置に対して、ネットワークデバイスから第２の下りリンクデータの第１の部分を受信し、第１のユーザ装置から第２の下りリンクデータの第２の部分を受信するように指示するために使用されることが更に実行されてもよい。
【０１５５】
任意選択で、第１のユーザ装置が第２の下りリンクデータを受信する際に第２のユーザ装置と協調することを決定した後に、以下のこと、すなわち、第４の指示メッセージを第１のユーザ装置に送出し、第４の指示メッセージは、第１のユーザ装置に対して、ネットワークデバイスから受信した第２の下りリンクデータの第２の部分を第２のユーザ装置に転送するように指示するために使用されることが更に実行されてもよい。
【０１５６】
任意選択で、第１のユーザ装置が第２の下りリンクデータを受信する際に第２のユーザ装置と協調することを決定することは、具体的に、第２のユーザ装置が第１の下りリンクデータを受信する際に第１のユーザ装置と協調し、第１のユーザ装置が第２の下りリンクデータを受信する際に第２のユーザ装置と協調する場合に、第１のユーザ装置の通信品質及び第２のユーザ装置の通信品質が予め設定された閾値を満たすか否かを決定し、予め設定された閾値が満たされる場合、第１のユーザ装置が第２の下りリンクデータを受信する際に第２のユーザ装置と協調することを決定することでもよい。
【０１５７】
任意選択で、第１の下りリンクデータを受信する際に第１のユーザ装置と協調する少なくとも１つの第２のユーザ装置を決定した後に、以下のこと、すなわち、各第２のユーザ装置が第１のセル無線ネットワーク一時識別子（C-RNTI）に従って第１の下りリンクデータの制御情報を復調するように、第１のC-RNTIを各第２のユーザ装置に送出すること、又は全ての第２のユーザ装置が第１のC-RNTIを共有するように、第１のC-RNTIを第２のユーザ装置のうち少なくともいずれか１つに送出することが更に実行されてもよい。
【０１５８】
任意選択で、第１のC-RNTIは、第１のユーザ装置のC-RNTI若しくは第２のユーザ装置のC-RNTI又は予め設定されたC-RNTIである。
【０１５９】
任意選択で、第１のユーザ装置が第２の下りリンクデータを受信する際に第２のユーザ装置と協調することを決定した後に、以下のこと、すなわち、第１のユーザ装置が第２のC-RNTIに従って第２の下りリンクデータの制御情報を復調するように、第２のC-RNTIを第１のユーザ装置に送出することが更に実行されてもよい。
【０１６０】
任意選択で、第２のC-RNTIは、第２のユーザ装置のC-RNTI若しくは第１のユーザ装置のC-RNTI又は予め設定されたC-RNTIである。
【０１６１】
任意選択で、第１の下りリンクデータの第１の部分及び第１の下りリンクデータの第２の部分は同じであるか、或いは、第１の下りリンクデータの第１の部分及び第１の下りリンクデータの第２の部分は異なる。
【０１６２】
本発明のこの実施例で提供されるネットワークデバイスは、本発明の図１で提供される方法の実施例に対応し、方法の実施例を実行する。従って、ネットワークデバイスがユーザ装置間の協調通信のための方法を実行する具体的な処理について、方法の実施例に参照が行われてもよく、詳細はここでは再び説明しない。
【０１６３】
第１のユーザ装置の協調要求を受信した後に、この実施例で提供されるネットワークデバイスは、ユーザ装置のために、下りリンクデータを受信する際に第１のユーザ装置と協調する少なくとも１つの他の第２のユーザ装置を決定し、指示メッセージを使用することにより、下りリンクデータがネットワークデバイス及び第２のユーザ装置を使用することにより別々に受信され得ることを第１のユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【０１６４】
図１２は、本発明の更に他の実施例によるユーザ装置の概略構成図である。図１２に示すように、この実施例で提供されるユーザ装置100は、プロセッサ1001及びメモリ1002を含む。ユーザ装置100は、送信機1003及び受信機1004を更に含んでもよい。送信機1003及び受信機1004は、プロセッサ1001に接続されてもよい。送信機1003は、データ又は情報を送出するように構成され、受信機1004は、データ又は情報を受信するように構成され、メモリ1002は、実行命令を記憶する。ユーザ装置100が動作する場合、プロセッサ1001は、メモリ1002と通信し、プロセッサ1001は、以下の動作、すなわち、協調要求をネットワークデバイスに送出し、ネットワークデバイスにより送出された第１の指示メッセージを受信し、第１の指示メッセージは、第１のユーザ装置に対して、ネットワークデバイスから第１の下りリンクデータの第１の部分を受信し、第２のユーザ装置から第１の下りリンクデータの第２の部分を受信するように指示するために使用され、ネットワークデバイスにより送出された第１の下りリンクデータの第１の部分を受信し、第２のユーザ装置から第１の下りリンクデータの第２の部分を受信することを実行するため、メモリ1002内の実行命令を呼び出す。
【０１６５】
任意選択で、以下のこと、すなわち、ネットワークデバイスにより送出された第４の指示メッセージを受信し、第４の指示メッセージは、第１のユーザ装置に対して、ネットワークデバイスから受信した第２の下りリンクデータの第２の部分を第２のユーザ装置に転送するように指示するために使用されることが更に実行されてもよい。
【０１６６】
任意選択で、以下のこと、すなわち、第１のユーザ装置がネットワークデバイスから第２の下りリンクデータの第２の部分を受信し、第２の下りリンクデータの第２の部分を第２のユーザ装置に転送するように、第２のユーザ装置とネゴシエーションすることが更に実行されてもよい。
【０１６７】
任意選択で、以下のこと、すなわち、ネットワークデバイスにより送出された第２の下りリンクデータの第２の部分を受信し、第２の下りリンクデータの第２の部分を第２のユーザ装置に送出することが更に実行されてもよい。
【０１６８】
協調要求をネットワークデバイスに送出した後に、以下のこと、すなわち、ネットワークデバイスにより送出された第２のC-RNTIを受信し、第２のC-RNTIに従って第２の下りリンクデータの制御情報を復調することが更に実行されてもよい。
【０１６９】
任意選択で、第２のC-RNTIは、第２のユーザ装置のC-RNTI若しくは第１のユーザ装置のC-RNTI又は予め設定されたC-RNTIである。
【０１７０】
任意選択で、以下のこと、すなわち、第２のユーザ装置がネットワークデバイスから第１の下りリンクデータの第２の部分を受信し、第１の下りリンクデータの第２の部分を第１のユーザ装置に転送するように、第２のユーザ装置とネゴシエーションすることが更に実行されてもよい。
【０１７１】
本発明のこの実施例で提供されるユーザ装置は、本発明の図２で提供される方法の実施例に対応し、方法の実施例を実行する。従って、ユーザ装置がユーザ装置間の協調通信のための方法を実行する具体的な処理について、方法の実施例に参照が行われてもよく、詳細はここでは再び説明しない。
【０１７２】
この実施例で提供されるユーザ装置は、協調要求をネットワークデバイスに送出してもよく、ネットワークデバイスは、ユーザ装置のために、下りリンクデータを受信する際にユーザ装置と協調する少なくとも１つの他の第２のユーザ装置を決定し、指示メッセージを使用することにより、下りリンクデータがネットワークデバイス及び第２のユーザ装置を使用することにより別々に受信され得ることを第１のユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【０１７３】
図１３は、本発明の更に他の実施例によるユーザ装置の概略構成図である。図１３に示すように、この実施例で提供されるユーザ装置110は、プロセッサ1101及びメモリ1102を含む。ユーザ装置110は、送信機1103及び受信機1104を更に含んでもよい。送信機1103及び受信機1104は、プロセッサ1101に接続されてもよい。送信機1103は、データ又は情報を送出するように構成され、受信機1104は、データ又は情報を受信するように構成され、メモリ1102は、実行命令を記憶する。ユーザ装置110が動作する場合、プロセッサ1101は、メモリ1102と通信し、プロセッサ1101は、以下の動作、すなわち、ネットワークデバイスにより送出された第１の下りリンクデータの第２の部分を受信し、第１の下りリンクデータの第１の部分は、ネットワークデバイスにより第１のユーザ装置に送出され、第１の下りリンクデータの第２の部分を第１のユーザ装置に転送することを実行するため、メモリ1102内の実行命令を呼び出す。
【０１７４】
任意選択で、ネットワークデバイスにより送出された第１の下りリンクデータの第２の部分を受信する前に、ユーザ装置は、ネットワークデバイスにより送出された第２の指示メッセージを更に受信してもよく、第２の指示メッセージは、第２のユーザ装置に対して、ネットワークデバイスから受信した第１の下りリンクデータの第２の部分を第１のユーザ装置に転送するように指示するために使用される。
【０１７５】
任意選択で、ネットワークデバイスにより送出された第１の下りリンクデータの第２の部分を受信する前に、ユーザ装置は、第２のユーザ装置がネットワークデバイスから第１の下りリンクデータの第２の部分を受信し、第１の下りリンクデータの第２の部分を第１のユーザ装置に転送するように、第１のUEと更にネゴシエーションしてもよい。
【０１７６】
任意選択で、ネットワークデバイスにより送出された第１の下りリンクデータの第２の部分を受信する前に、ユーザ装置は、ネットワークデバイスにより送出された第１のセル無線ネットワーク一時識別子（C-RNTI）を更に受信し、第１のC-RNTIに従って第１の下りリンクデータの制御情報を復調してもよい。
【０１７７】
任意選択で、ユーザ装置は、第１の下りリンクデータを受信する際に第１のユーザ装置と協調する全てのユーザ装置の中で主ユーザ装置であり、ネットワークデバイスにより送出された第１の下りリンクデータの第２の部分を受信する前に、ユーザ装置は、ネットワークデバイスにより送出された第１のC-RNTIを更に受信してもよく、主装置は、第１のC-RNTIに従って第１の下りリンクデータの制御情報を復調する。
【０１７８】
任意選択で、第１のC-RNTIは、第１のユーザ装置のC-RNTI若しくは第２のユーザ装置のC-RNTI又は予め設定されたC-RNTIである。
【０１７９】
任意選択で、ユーザ装置は、ネットワークデバイスにより送出された第３の指示メッセージを更に受信してもよく、第３の指示メッセージは、第２のユーザ装置に対して、ネットワークデバイスから第２の下りリンクデータの第１の部分を受信し、第１のユーザ装置から第２の下りリンクデータの第２の部分を受信するように指示するために更に使用される。
【０１８０】
任意選択で、ネットワークデバイスにより送出された第３の指示メッセージを受信した後に、ユーザ装置は、ネットワークデバイスから第２の下りリンクデータの第１の部分を更に受信し、第１のユーザ装置から第２の下りリンクデータの第２の部分を受信してもよい。
【０１８１】
第１のユーザ装置から第２の下りリンクデータの第２の部分を受信する前に、ユーザ装置は、第１のユーザ装置がネットワークデバイスから第２の下りリンクデータの第２の部分を受信し、第２の下りリンクデータの第２の部分を第２のユーザ装置に転送するように、第１のUEと更にネゴシエーションしてもよい。
【０１８２】
本発明のこの実施例で提供されるユーザ装置は、本発明の図３で提供される方法の実施例に対応し、方法の実施例を実行する。従って、ユーザ装置がユーザ装置間の協調通信のための方法を実行する具体的な処理について、方法の実施例に参照が行われてもよく、詳細はここでは再び説明しない。
【０１８３】
この実施例で提供されるユーザ装置は、協調デバイスであり、第１のユーザ装置の協調要求を受信した後に、ネットワークデバイスは、ユーザ装置のために、下りリンクデータを受信する際に第１のユーザ装置と協調する少なくとも１つの他の第２のユーザ装置を決定し、指示メッセージを使用することにより、下りリンクデータがネットワークデバイス及び第２のユーザ装置を使用することにより別々に受信され得ることを第１のユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【０１８４】
本発明は、ユーザ装置間の協調通信のためのシステムの実施例を更に提供し、図６に示すネットワークデバイスと、図７又は図８に示す第１のユーザ装置と、図９又は図１０の第２のユーザ装置とを含む。
【０１８５】
本発明は、ユーザ装置間の協調通信のための他のシステムの実施例を更に提供し、図１１に示すネットワークデバイスと、図１２に示す第１のユーザ装置と、図１３の第２のユーザ装置とを含む。
【０１８６】
前述の実施例で提供されるシステムの各デバイスについて、前述のデバイスの実施例の関係する説明に参照が行われてもよく、詳細はここでは再び説明しない。
【０１８７】
本発明のこの実施例で提供されるユーザ装置間の協調通信のためのシステムによれば、第１のユーザ装置の協調要求を受信した後に、ネットワークデバイスは、ユーザ装置のために、下りリンクデータを受信する際に第１のユーザ装置と協調する少なくとも１つの他の第２のユーザ装置を決定し、指示メッセージを使用することにより、下りリンクデータがネットワークデバイス及び第２のユーザ装置を使用することにより別々に受信され得ることを第１のユーザ装置に示してもよい。このように、ユーザ装置の物理アンテナの量が増加しないという前提で、ユーザ装置により実行されるデータ受信の品質が改善されることができ、ビット誤り率が低減されることができ、ダイバーシチ利得が得られることができる。更に、チャネル容量が増加することができ、“空間多重化”の有利な効果が達成されることができ、多重化利得が得られることができる。
【０１８８】
当業者は、方法の実施例のステップの全部又は一部が、関係するハードウェアに命令するプログラムにより実現されてもよいことを認識し得る。プログラムは、コンピュータ読み取り可能記憶媒体に記憶されてもよい。プログラムが動作する場合、方法の実施例のステップが実行される。前述の記憶媒体は、ROM、RAM、磁気ディスク又は光ディスクのようなプログラムコードを記憶することができるいずれかの媒体を含む。
【０１８９】
最後に、前述の実施例は、単に本発明の技術的対策を説明することを意図するものであり、本発明を限定することを意図するものではない点に留意すべきである。前述の実施例を参照して本発明について詳細に説明したが、当業者は、依然として、本発明の実施例の技術的対策の範囲を逸脱することなく、前述の実施例で説明した技術的対策に変更を行ってもよく、或いは、その一部又は全部の技術的特徴に等価置換を行ってもよいことを認識すべきである。
【図１】
2017506026.tif 000014
【図２】
2017506026.tif 000015
【図３】
2017506026.tif 000016
【図４】
2017506026.tif 000017
【図５】
2017506026.tif 000018
【図６】
2017506026.tif 000019
【図７】
2017506026.tif 000020
【図８】
2017506026.tif 000021
【図９】
2017506026.tif 000022
【図１０】
2017506026.tif 000023
【図１１】
2017506026.tif 000024
【図１２】
2017506026.tif 000025
【図１３】
2017506026.tif 000026
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
協調通信のための方法であって、
ネットワークデバイスにより、第１のユーザ装置により送出された協調要求を受信するステップと、
前記ネットワークデバイスにより、前記協調要求に従って、第１の下りリンクデータを受信する際に前記第１のユーザ装置と協調する少なくとも１つの第２のユーザ装置を決定するステップと、
前記ネットワークデバイスにより、第１の指示メッセージを前記第１のユーザ装置に送出するステップであり、前記第１の指示メッセージは、前記第１のユーザ装置に対して、前記ネットワークデバイスから前記第１の下りリンクデータの第１の部分を受信し、前記第２のユーザ装置から前記第１の下りリンクデータの第２の部分を受信するように指示するために使用されるステップと
を有する方法。
【請求項２】
前記ネットワークデバイスにより、前記協調要求に従って、第１の下りリンクデータを受信する際に前記第１のユーザ装置と協調する少なくとも１つの第２のユーザ装置を決定した後に、
前記ネットワークデバイスにより、第２の指示メッセージを前記第２のユーザ装置に送出するステップであり、前記第２の指示メッセージは、前記第２のユーザ装置に対して、前記ネットワークデバイスから受信した前記第１の下りリンクデータの前記第２の部分を前記第１のユーザ装置に転送するように指示するために使用されるステップを更に有する、請求項１に記載の方法。
【請求項３】
前記ネットワークデバイスにより、前記第２のユーザ装置に送出される第２の下りリンクデータを決定するステップと、
前記ネットワークデバイスにより、前記第１のユーザ装置が前記第２の下りリンクデータを受信する際に前記第２のユーザ装置と協調することを決定するステップと、
前記ネットワークデバイスにより、第３の指示メッセージを前記第２のユーザ装置に送出するステップであり、前記第３の指示メッセージは、前記第２のユーザ装置に対して、前記ネットワークデバイスから前記第２の下りリンクデータの第１の部分を受信し、前記第１のユーザ装置から前記第２の下りリンクデータの第２の部分を受信するように指示するために使用されるステップを
更に有する、請求項１又は２に記載の方法。
【請求項４】
前記ネットワークデバイスにより、前記第１のユーザ装置が前記第２の下りリンクデータを受信する際に前記第２のユーザ装置と協調することを決定した後に、
前記ネットワークデバイスにより、第４の指示メッセージを前記第１のユーザ装置に送出するステップであり、前記第４の指示メッセージは、前記第１のユーザ装置に対して、前記ネットワークデバイスから受信した前記第２の下りリンクデータの前記第２の部分を前記第２のユーザ装置に転送するように指示するために使用されるステップを更に有する、請求項３に記載の方法。
【請求項５】
前記ネットワークデバイスにより、前記第１のユーザ装置が前記第２の下りリンクデータを受信する際に前記第２のユーザ装置と協調することを決定するステップは、
前記ネットワークデバイスにより、前記第２のユーザ装置が前記第１の下りリンクデータを受信する際に前記第１のユーザ装置と協調し、前記第１のユーザ装置が前記第２の下りリンクデータを受信する際に前記第２のユーザ装置と協調する場合に、前記第１のユーザ装置の通信品質及び前記第２のユーザ装置の通信品質が予め設定された閾値を満たすか否かを決定するステップと、
前記予め設定された閾値が満たされる場合、前記ネットワークデバイスにより、前記第１のユーザ装置が前記第２の下りリンクデータを受信する際に前記第２のユーザ装置と協調することを決定するステップと
を有する、請求項３に記載の方法。
【請求項６】
前記ネットワークデバイスにより、前記協調要求に従って、第１の下りリンクデータを受信する際に前記第１のユーザ装置と協調する少なくとも１つの第２のユーザ装置を決定した後に、
前記ネットワークデバイスにより、各第２のユーザ装置が第１のセル無線ネットワーク一時識別子（C-RNTI）に従って前記第１の下りリンクデータの制御情報を復調するように、前記第１のC-RNTIを各第２のユーザ装置に送出するステップ、又は
前記ネットワークデバイスにより、全ての前記第２のユーザ装置が第１のC-RNTIを共有するように、前記第１のC-RNTIを前記第２のユーザ装置のうち少なくともいずれか１つに送出するステップ
を更に有する、請求項１乃至５のうちいずれか１項に記載の方法。
【請求項７】
前記第１のC-RNTIは、前記第１のユーザ装置のC-RNTI若しくは前記第２のユーザ装置のC-RNTI又は予め設定されたC-RNTIである、請求項６に記載の方法。
【請求項８】
前記ネットワークデバイスにより、前記第１のユーザ装置が前記第２の下りリンクデータを受信する際に前記第２のユーザ装置と協調することを決定した後に、
前記ネットワークデバイスにより、前記第１のユーザ装置が第２のC-RNTIに従って前記第２の下りリンクデータの制御情報を復調するように、前記第２のC-RNTIを前記第１のユーザ装置に送出するステップを更に有する、請求項３に記載の方法。
【請求項９】
前記第２のC-RNTIは、前記第２のユーザ装置のC-RNTI若しくは前記第１のユーザ装置のC-RNTI又は予め設定されたC-RNTIである、請求項８に記載の方法。
【請求項１０】
前記第１の下りリンクデータの前記第１の部分及び前記第１の下りリンクデータの前記第２の部分は同じであるか、或いは、前記第１の下りリンクデータの前記第１の部分及び前記第１の下りリンクデータの前記第２の部分は異なる、請求項１乃至９のうちいずれか１項に記載の方法。
【請求項１１】
プロセッサ及びメモリを有するネットワークデバイスであって、
前記メモリは、実行命令を記憶し、前記ネットワークデバイスが動作する場合、前記プロセッサは、前記メモリと通信し、前記プロセッサは、前記ネットワークデバイスが、
第１のユーザ装置により送出された協調要求を受信するステップと、
前記協調要求に従って、第１の下りリンクデータを受信する際に前記第１のユーザ装置と協調する少なくとも１つの第２のユーザ装置を決定するステップと、
第１の指示メッセージを前記第１のユーザ装置に送出するステップであり、前記第１の指示メッセージは、前記第１のユーザ装置に対して、前記ネットワークデバイスから前記第１の下りリンクデータの第１の部分を受信し、前記第２のユーザ装置から前記第１の下りリンクデータの第２の部分を受信するように指示するために使用されるステップと
を実行するように、前記実行命令を実行するネットワークデバイス。
【請求項１２】
前記プロセッサは、前記ネットワークデバイスが、
第２の指示メッセージを前記第２のユーザ装置に送出するステップであり、前記第２の指示メッセージは、前記第２のユーザ装置に対して、前記ネットワークデバイスから受信した前記第１の下りリンクデータの前記第２の部分を前記第１のユーザ装置に転送するように指示するために使用されるステップを更に実行するように、前記実行命令を実行する、請求項１１に記載のネットワークデバイス。
【請求項１３】
前記プロセッサは、前記ネットワークデバイスが、
前記第１のユーザ装置により送出された前記協調要求を受信した後に、前記第２のユーザ装置に送出される第２の下りリンクデータを決定し、前記第１のユーザ装置が前記第２の下りリンクデータを受信する際に前記第２のユーザ装置と協調することを決定するステップと、
第３の指示メッセージを前記第２のユーザ装置に送出するステップであり、前記第３の指示メッセージは、前記第２のユーザ装置に対して、前記ネットワークデバイスから前記第２の下りリンクデータの第１の部分を受信し、前記第１のユーザ装置から前記第２の下りリンクデータの第２の部分を受信するように指示するために使用されるステップと
を更に実行するように、前記実行命令を実行する、請求項１１又は１２に記載のネットワークデバイス。
【請求項１４】
前記プロセッサは、前記ネットワークデバイスが、
第４の指示メッセージを前記第１のユーザ装置に送出するステップであり、前記第４の指示メッセージは、前記第１のユーザ装置に対して、前記ネットワークデバイスから受信した前記第２の下りリンクデータの前記第２の部分を前記第２のユーザ装置に転送するように指示するために使用されるステップを更に実行するように、前記実行命令を実行する、請求項１３に記載のネットワークデバイス。
【請求項１５】
前記プロセッサは、前記ネットワークデバイスが、
前記第２のユーザ装置が前記第１の下りリンクデータを受信する際に前記第１のユーザ装置と協調し、前記第１のユーザ装置が前記第２の下りリンクデータを受信する際に前記第２のユーザ装置と協調する場合に、前記第１のユーザ装置の通信品質及び前記第２のユーザ装置の通信品質が予め設定された閾値を満たすか否かを決定するステップと、
前記予め設定された閾値が満たされる場合、前記第１のユーザ装置が前記第２の下りリンクデータを受信する際に前記第２のユーザ装置と協調することを決定するステップと
を更に実行するように、前記実行命令を実行する、請求項１４に記載のネットワークデバイス。
【請求項１６】
前記プロセッサは、前記ネットワークデバイスが、
前記協調要求に従って、前記第１の下りリンクデータを受信する際に前記第１のユーザ装置と協調する前記少なくとも１つの第２のユーザ装置を決定した後に、各第２のユーザ装置が第１のセル無線ネットワーク一時識別子（C-RNTI）に従って前記第１の下りリンクデータの制御情報を復調するように、前記第１のC-RNTIを各第２のユーザ装置に送出するステップ、又は
全ての前記第２のユーザ装置が第１のC-RNTIを共有するように、前記第１のC-RNTIを前記第２のユーザ装置のうち少なくともいずれか１つに送出するステップ
を更に実行するように、前記実行命令を実行する、請求項１１又は１２に記載のネットワークデバイス。
【請求項１７】
前記第１のC-RNTIは、前記第１のユーザ装置のC-RNTI若しくは前記第２のユーザ装置のC-RNTI又は予め設定されたC-RNTIである、請求項１６に記載のネットワークデバイス。
【請求項１８】
前記プロセッサは、前記ネットワークデバイスが、
前記第１のユーザ装置が前記第２の下りリンクデータを受信する際に前記第２のユーザ装置と協調することを決定した後に、前記第１のユーザ装置が第２のC-RNTIに従って前記第２の下りリンクデータの制御情報を復調するように、前記第２のC-RNTIを前記第１のユーザ装置に送出するステップを更に実行するように、前記実行命令を実行する、請求項１３に記載のネットワークデバイス。
【請求項１９】
前記第２のC-RNTIは、前記第２のユーザ装置のC-RNTI若しくは前記第１のユーザ装置のC-RNTI又は予め設定されたC-RNTIである、請求項１８に記載のネットワークデバイス。
【請求項２０】
前記第１の下りリンクデータの前記第１の部分及び前記第１の下りリンクデータの前記第２の部分は同じであるか、或いは、前記第１の下りリンクデータの前記第１の部分及び前記第１の下りリンクデータの前記第２の部分は異なる、請求項１１乃至１９のうちいずれか１項に記載のネットワークデバイス。
【請求項２１】
プログラムが記録されたコンピュータ読み取り可能記録媒体であって、
前記プログラムは、プロセッサにより実行された場合、前記プロセッサに対して請求項１乃至１０のうちいずれか１項に記載の方法を実行可能にするコンピュータ読み取り可能記録媒体。
【手続補正２】
【補正対象書類名】明細書
【補正対象項目名】００４２
【補正方法】変更
【補正の内容】
【００４２】
第５の態様によれば、本発明の実施例は、ユーザ装置を提供し、協調要求をネットワークデバイスに送出するように構成された送出モジュールと、ネットワークデバイスにより送出された第１の指示メッセージを受信するように構成された受信モジュールであり、第１の指示メッセージは、第１のユーザ装置に対して、ネットワークデバイスから第１の下りリンクデータの第１の部分を受信するように指示するために使用され、ネットワークデバイスにより送出された第２の指示メッセージを受信するように構成され、第２の指示メッセージは、第１のユーザ装置に対して、第２のユーザ装置から第１の下りリンクデータの第２の部分を受信するように指示するために使用される受信モジュールとを含み、受信モジュールは、ネットワークデバイスにより送出された第１の下りリンクデータの第１の部分を受信し、第２のユーザ装置から第１の下りリンクデータの第２の部分を受信するように更に構成される。
【手続補正３】
【補正対象書類名】明細書
【補正対象項目名】００５５
【補正方法】変更
【補正の内容】
【００５５】
第６の態様又は第１の実現方式〜第６の実現方式のうちいずれか１つを参照して、第３の態様の第７の実現方式では、受信モジュールがネットワークデバイスにより送出された第３の指示メッセージを受信した後に、受信モジュールは、ネットワークデバイスから第２の下りリンクデータの第１の部分を受信し、第１のユーザ装置から第２の下りリンクデータの第２の部分を受信するように更に構成される。
【手続補正４】
【補正対象書類名】明細書
【補正対象項目名】００５７
【補正方法】変更
【補正の内容】
【００５７】
第７の態様によれば、本発明の実施例は、ネットワークデバイスを提供し、プロセッサ及びメモリを含み、メモリは、実行命令を記憶し、ネットワークデバイスが動作する場合、プロセッサは、メモリと通信し、プロセッサは、ネットワークデバイスが第１の態様による方法を実行するように、実行命令を実行する。
【手続補正５】
【補正対象書類名】明細書
【補正対象項目名】００６５
【補正方法】変更
【補正の内容】
【００６５】
この明細書に記載の技術は、様々な通信システム、例えば、現在の2G及び3G通信システム並びに次世代通信システム、例えば、移動通信用グローバルシステム（GSM）、符号分割多元アクセス（CDMA）システム、時分割多元アクセス（TDMA）システム、広帯域符号分割多元アクセス（WCDMA）システム、周波数分割多元アクセス（FDMA）システム、直交周波数分割多元アクセス（OFDMA）システム、シングルキャリアFDMA（SC-FDMA）システム、汎用パケット無線サービス（GPRS）システム、ロングタームエボリューション（LTE）システム、及び他の通信システムに適用されてもよい。
【手続補正６】
【補正対象書類名】明細書
【補正対象項目名】００６６
【補正方法】変更
【補正の内容】
【００６６】
この出願に関与するユーザ装置は、無線端末又は有線端末でもよい。無線端末は、音声及び／又はデータ接続をユーザに提供するデバイス、無線接続機能を備えたハンドヘルドデバイス、又は無線モデムに接続された他の処理デバイスを示してもよい。無線端末は、無線アクセスネットワーク（RAN）を通じて１つ以上のコアネットワークと通信してもよい。無線端末は、移動電話（“セルラ”電話とも呼ばれる）及び移動端末を備えたコンピュータのような移動端末でもよく、例えば、無線アクセスネットワークと言葉及び／又はデータを交換するポータブル、ポケットサイズ、ハンドヘルド型、コンピュータ内蔵型、又は車載型の移動装置でもよい。例えば、無線端末は、パーソナル通信サービス（PCS）電話、コードレス電話セット、セッションイニシエーションプロトコル（SIP）電話、無線ローカルループ（WLL）局、又はパーソナルデジタルアシスタント（PDA）のようなデバイスでもよい。無線端末はまた、システム、加入者ユニット、加入者局、移動局、移動端末、遠隔局、アクセスポイント、遠隔端末、アクセス端末、ユーザ端末、ユーザエージェント、ユーザデバイス、又はユーザ装置と呼ばれてもよい。
【手続補正７】
【補正対象書類名】明細書
【補正対象項目名】００６７
【補正方法】変更
【補正の内容】
【００６７】
この出願に関与するネットワークデバイスは、例えば、基地局又は無線ネットワークコントローラ（RNC）でもよい。
【手続補正８】
【補正対象書類名】明細書
【補正対象項目名】００６８
【補正方法】変更
【補正の内容】
【００６８】
基地局（例えば、アクセスポイント）は、GSM又はCDMAの基地局（BT）でもよく、WCDMAの基地局（NodeB）でもよく、LTEの進化型NodeB（NodeB、eNB又はe-NodeB、evolved  Node  B）でもよく、これはこの出願では限定されない。
【手続補正９】
【補正対象書類名】明細書
【補正対象項目名】００８０
【補正方法】変更
【補正の内容】
【００８０】
任意選択で、ネットワークデバイスが第１のユーザ装置により送出された協調要求を受信した後に、ネットワークデバイスが第２のユーザ装置に送出される第２の下りリンクデータを有することをネットワークデバイスが決定した場合、ネットワークデバイスは、第１のユーザ装置が第２の下りリンクデータを受信する際に第２のユーザ装置と協調することを更に決定してもよい。この実現シナリオでは、ネットワークデバイスは、第２のユーザ装置に対して、ネットワークデバイスから第２の下りリンクデータの第１の部分を受信し、第１のユーザ装置から第２の下りリンクデータの第２の部分を受信するように指示するために、第３の指示メッセージを第２のユーザ装置に更に送出してもよい。第２の指示メッセージ及び第３の指示メッセージは、同じメッセージでもよく、すなわち、第２のユーザ装置に対して、ネットワークデバイスから受信した第１の下りリンクデータの第２の部分を第１のユーザ装置に転送するように指示する場合、ネットワークデバイスはまた、第２のユーザ装置に対して、ネットワークデバイスから第２の下りリンクデータの第１の部分を受信し、第１のユーザ装置から第２の下りリンクデータの第２の部分を受信するように指示してもよい点に留意すべきである。
【手続補正１０】
【補正対象書類名】明細書
【補正対象項目名】００８２
【補正方法】変更
【補正の内容】
【００８２】
第１の指示メッセージ及び第４の指示メッセージはまた、同じメッセージでもよく、すなわち、第１のユーザ装置に対して、ネットワークデバイスから受信した第２の下りリンクデータの第２の部分を第２のユーザ装置に転送するように指示する場合、ネットワークデバイスはまた、第１のユーザ装置に対して、ネットワークデバイスから第１の下りリンクデータの第１の部分を受信し、第２のユーザ装置から第１の下りリンクデータの第２の部分を受信するように指示してもよい点に留意すべきである。
【手続補正１１】
【補正対象書類名】明細書
【補正対象項目名】００８６
【補正方法】変更
【補正の内容】
【００８６】
更に、第１のC-RNTIを受信した後に、第２のユーザ装置は、第２のユーザ装置が第１の下りリンクデータの第２の部分を第１のユーザ装置に送出するように、第１のユーザ装置の制御情報を獲得するために、第１のユーザ装置の物理下りリンク制御チャネル（PDCCH）を復調してもよい。例えば、第１のユーザ装置のPDCCHを復調した後に、第２のユーザ装置は、第１の下りリンクデータの第２の部分により占有される時間周波数リソースブロックを習得し、第１のユーザ装置の受信モード（例えば、受信モードが空間多重化であるか送信ダイバーシチであるか）を習得し、不連続受信（DRX）構成のような制御情報を習得してもよい。必要な場合には、ネットワークデバイスは、第１のユーザ装置と第２のユーザ装置との間の効率的な協調を実現するために、第１のユーザ装置及び第２のユーザ装置の関係する構成パラメータが同じ（例えば、ページンググループが同じ、DRXが同じ、且つフィードバック周期が同じ）になるように、第１のユーザ装置又は第２のユーザ装置の構成パラメータを調整してもよい。第１のユーザ装置と第２のユーザ装置との間の通信リンクにより使用される周波数は、帯域外周波数でもよい。具体的な通信方式は、例えば、デバイス対デバイス（D2D）通信プロトコルを使用することにより通信を実行することでもよい。第１のC-RNTIは、第１のユーザ装置のC-RNTI若しくは第２のユーザ装置のC-RNTI又は予め設定されたC-RNTIでもよい。
【手続補正１２】
【補正対象書類名】明細書
【補正対象項目名】００９４
【補正方法】変更
【補正の内容】
【００９４】
第１の指示メッセージ及び第４の指示メッセージはまた、同じメッセージでもよく、すなわち、第１のユーザ装置に対して、ネットワークデバイスから受信した第２の下りリンクデータの第２の部分を第２のユーザ装置に転送するように指示する場合、ネットワークデバイスは、第１のユーザ装置に対して、ネットワークデバイスから第１の下りリンクデータの第１の部分を受信し、第２のユーザ装置から第１の下りリンクデータの第２の部分を受信するように更に指示してもよい点に留意すべきである。
【手続補正１３】
【補正対象書類名】明細書
【補正対象項目名】０１１５
【補正方法】変更
【補正の内容】
【０１１５】
図５は、第２のユーザ装置が第１の下りリンクデータを受信する際に第１のユーザ装置と協調し、第１のユーザ装置が第２の下りリンクデータを受信する際に第２のユーザ装置と協調する具体的な実現方式の概略図を提供する。図５に示すように、基地局BS_0は、２つのユーザ装置のジョイントチャネルを使用することによりプリコーディングを実行し、同じ時間周波数リソースブロックで複数のデータフローを送出する。これらのデータフローの中で、いくつかのデータフロー（S0）のターゲットユーザ装置は第１のユーザ装置UE_0であり、いくつかのデータフロー（S1）のターゲットユーザ装置は第２のユーザ装置UE_1である。２つのユーザ装置は、情報を共有することにより以下のデータを受信する。
【数７】
2017506026.tif 000027
ただし、P1及びP2は、S0及びS1のプリコーディング行列である。基地局BS_0は、いくつかの基準を使用することによりプリコーディング行列を設計してもよい。例えば、プリコーディング行列は、データスループットを最大化することができるSVD分解に基づく方式で取得されてもよい。合成したチャネルの次元がNxMであると仮定して、分解は以下のように実行されてもよい。
【数８】
2017506026.tif 000028
ただし、
【数９】
2017506026.tif 000029
の次元はそれぞれNxN、NxM及びMxMであり、P1及びP2はVの最前列から選択されてもよく、例えば、V=[V1,V2,...VM]である場合、P1=[V1,V2...Vn]H且つP2=[Vn+1,...Vk]Hであり、k<=min(M,N)である。
【手続補正１４】
【補正対象書類名】明細書
【補正対象項目名】０１３２
【補正方法】変更
【補正の内容】
【０１３２】
図７は、本発明の実施例によるユーザ装置の概略構成図である。ユーザ装置は、協調要求をネットワークデバイスに送出するように構成された送出モジュール701と、ネットワークデバイスにより送出された第１の指示メッセージを受信するように構成された受信モジュール702であり、第１の指示メッセージは、第１のユーザ装置に対して、ネットワークデバイスから第１の下りリンクデータの第１の部分を受信するように指示するために使用され、ネットワークデバイスにより送出された第２の指示メッセージを受信するように構成され、第２の指示メッセージは、第１のユーザ装置に対して、第２のユーザ装置から第１の下りリンクデータの第２の部分を受信するように指示するために使用される受信モジュール702とを含み、受信モジュール702は、ネットワークデバイスにより送出された第１の下りリンクデータの第１の部分を受信し、第２のユーザ装置から第１の下りリンクデータの第２の部分を受信するように構成される。
【手続補正１５】
【補正対象書類名】明細書
【補正対象項目名】０１５１
【補正方法】変更
【補正の内容】
【０１５１】
図１１は、本発明の他の実施例によるネットワークデバイスの概略構成図である。
【手続補正１６】
【補正対象書類名】明細書
【補正対象項目名】０１７７
【補正方法】変更
【補正の内容】
【０１７７】
任意選択で、ユーザ装置は、第１の下りリンクデータを受信する際に第１のユーザ装置と協調する全てのユーザ装置の中で主ユーザ装置であり、ネットワークデバイスにより送出された第１の下りリンクデータの第２の部分を受信する前に、ユーザ装置は、ネットワークデバイスにより送出された第１のC-RNTIを更に受信してもよく、主ユーザ装置は、第１のC-RNTIに従って第１の下りリンクデータの制御情報を復調する。
【国際調査報告】
2017506026.tif 000030
2017506026.tif 000031
2017506026.tif 000032
2017506026.tif 000033